(57)【要約】  本発明は、グラント・フリー伝送方法、端末、及びネットワーク・デバイスを開示する。方法は：グラント・フリー伝送に関する複数の専用伝送リソースを、ネットワーク・デバイスにより端末に割り当てるステップ；現在のチャネル状態とサービス要求とに基づいて、グラント・フリー伝送のための伝送パラメータ・セットを端末により決定し、そして伝送パラメータ・セットを使用することによりグラント・フリー伝送を実行するステップ；及び端末によりグラント・フリー伝送を実行するための伝送パラメータを、専用伝送リソースに基づいてネットワーク・デバイスにより決定し、そして対応する検出を実行するステップを含む。この方式では、使用される伝送パラメータをネットワーク・デバイスに通知するために、追加的なシグナリングは何ら使用される必要はなく、これにより貴重なアップリンク・エア・インターフェース・リソースを節約する。
2020502885.tif 000002
【特許請求の範囲】
【請求項１】
グラント・フリー伝送方法であって、前記方法は：
グラント・フリー伝送に使用されるＰ個の専用伝送リソースに関するものであり及びネットワーク・デバイスにより送信される情報を、端末により受信するステップであって、Ｐは正の整数であり及びＰ≧２である、ステップ；
前記Ｐ個の専用伝送リソースから１つの適応伝送リソースを前記端末により選択するステップ；及び
前記適応伝送リソースと前記適応伝送リソースに対応する伝送パラメータ・セットとを使用することによりグラント・フリー伝送を、前記端末により実行するステップ；
を含む方法。
【請求項２】
前記専用伝送リソースは、以下のもの：パイロット、コードブック、シグネチャ・シーケンス、及び時間−周波数リソースのうちの少なくとも１つを含む、請求項１に記載の方法。
【請求項３】
前記伝送パラメータ・セットは、以下のパラメータ：変調及び符号化方式、電力制御パラメータ、冗長バージョン、及びトランスポート・ブロック・サイズのうちの少なくとも１つを含む、請求項１又は２に記載の方法。
【請求項４】
前記専用伝送リソースは、前記伝送パラメータ・セットと１対１対応にある、請求項１−３のうち何れか一項に記載の方法。
【請求項５】
前記Ｐ個の専用伝送リソースから１つの適応伝送リソースを前記端末により選択する前記ステップは、具体的には：
前記Ｐ個の専用伝送リソースに対応するＰ個の伝送パラメータ・セットの中で最も合致する伝送パラメータ・セットに対応する前記専用伝送リソースを、チャネル状態及びＱｏＳ要求に基づいて、前記適応伝送リソースとして選択するステップである、請求項１−４のうち何れか一項に記載の方法。
【請求項６】
前記端末は、前記ネットワーク・デバイスにより送信される共通伝送リソース情報を更に受信する、請求項１−５のうち何れか一項に記載の方法。
【請求項７】
グラント・フリー伝送方法であって、前記方法は：
グラント・フリー伝送に使用されるＰ個の専用伝送リソースに関する情報を、ネットワーク・デバイスにより端末へ送信するステップであって、Ｐは正の整数であり及びＰ≧２である、ステップ；及び
前記専用伝送リソースを前記ネットワーク・デバイスにより検出し、そしてグラント・フリー伝送が検出された場合、前記専用伝送リソースに対応する伝送パラメータ・セットに基づいてデータを検出するステップ；
を含む方法。
【請求項８】
前記専用伝送リソースは、以下のもの：パイロット、コードブック、シグネチャ・シーケンス、及び時間−周波数リソースのうちの少なくとも１つを含む、請求項７に記載の方法。
【請求項９】
前記伝送パラメータ・セットは、以下のもの：変調及び符号化方式、電力制御パラメータ、冗長バージョン、及びトランスポート・ブロック・サイズのうちの少なくとも１つを含む、請求項７又は８に記載の方法。
【請求項１０】
前記専用伝送リソースは、前記伝送パラメータ・セットと１対１対応にある、請求項７−９のうち何れか一項に記載の方法。
【請求項１１】
前記Ｐ個の専用伝送リソースはＭ個の専用伝送リソースから選択され、Ｍは正の整数であり及びＭ≧Ｐである、請求項７−１０のうちの何れか一項に記載の方法。
【請求項１２】
前記ネットワーク・デバイスは共通伝送リソース情報を更に送信する、請求項７−１１のうちの何れか一項に記載の方法。
【請求項１３】
端末であって：
グラント・フリー伝送に使用されるＰ個の専用伝送リソースに関するものであり及びネットワーク・デバイスにより送信される情報を受信するように構成されるレシーバであって、Ｐは正の整数であり及びＰ≧２である、レシーバ；
適応伝送リソースと前記適応伝送リソースに対応する伝送パラメータ・セットとを決定するように構成されるプロセッサ；及び
前記適応伝送リソースと前記伝送パラメータ・セットとに基づいて、パイロットとデータとを前記ネットワーク・デバイスへ送信するように構成されるトランスミッタ；
を含む端末。
【請求項１４】
前記専用伝送リソースは、以下のもの：パイロット、コードブック、シグネチャ・シーケンス、及び時間−周波数リソースのうちの少なくとも１つを含む、請求項１３に記載の端末。
【請求項１５】
前記伝送パラメータ・セットは、以下のパラメータ：変調及び符号化方式、電力制御パラメータ、冗長バージョン、及びトランスポート・ブロック・サイズのうちの少なくとも１つを含む、請求項１３又は１４に記載の端末。
【請求項１６】
前記専用伝送リソースは、前記伝送パラメータ・セットと１対１対応にある、請求項１３−１５のうち何れか一項に記載の端末。
【請求項１７】
前記プロセッサが、前記適応伝送リソースと前記適応伝送リソースに対応する伝送パラメータ・セットとを決定するように構成されることは、具体的には：
前記Ｐ個の専用伝送リソースに対応するＰ個の伝送パラメータ・セットの中で最も合致する伝送パラメータ・セットに対応する前記専用伝送リソースを、チャネル状態及びＱｏＳ要求に基づいて、前記適応伝送リソースとして前記プロセッサにより選択することである、請求項１３−１６のうち何れか一項に記載の端末。
【請求項１８】
前記レシーバは、前記ネットワーク・デバイスにより送信される共通伝送リソース情報を受信するように更に構成される、請求項１３−１７のうち何れか一項に記載の端末。
【請求項１９】
実行可能なコードを保存するように構成されるメモリを更に含む、請求項１３−１８のうち何れか一項に記載の端末。
【請求項２０】
グラント・フリー伝送に使用されるＰ個の専用伝送リソースに関する情報を端末へ送信するように構成されるトランスミッタであって、Ｐは正の整数であり及びＰ≧２である、トランスミッタ；及び
前記専用伝送リソースを検出し、そしてグラント・フリー伝送が検出された場合、前記専用伝送リソースに対応する伝送パラメータ・セットに基づいてデータを検出するように構成されるプロセッサ；
を含むネットワーク・デバイス。
【請求項２１】
前記専用伝送リソースは、以下のもの：パイロット、コードブック、シグネチャ・シーケンス、及び時間−周波数リソースのうちの少なくとも１つを含む、請求項２０に記載のネットワーク・デバイス。
【請求項２２】
前記伝送パラメータ・セットは、以下のもの：変調及び符号化方式、電力制御パラメータ、冗長バージョン、及びトランスポート・ブロック・サイズのうちの少なくとも１つを含む、請求項２０又は２１に記載のネットワーク・デバイス。
【請求項２３】
前記専用伝送リソースは、前記伝送パラメータ・セットと１対１対応にある、請求項２０−２２のうち何れか一項に記載のネットワーク・デバイス。
【請求項２４】
前記プロセッサは、Ｍ個の専用伝送リソースから前記Ｐ個の専用伝送リソースを選択するように更に構成され、Ｍは正の整数であり及びＭ≧Ｐである、請求項２０−２３のうちの何れか一項に記載のネットワーク・デバイス。
【請求項２５】
前記トランスミッタは、共通伝送リソース情報を送信するように更に構成される、請求項２０−２４のうちの何れか一項に記載のネットワーク・デバイス。
【請求項２６】
実行可能なコードを保存するように構成されるメモリを更に含む、請求項２０−２５のうち何れか一項に記載のネットワーク・デバイス。
【請求項２７】
端末であって：
グラント・フリー伝送に使用されるＰ個の専用伝送リソースに関するものであり及びネットワーク・デバイスにより送信される情報を受信するように構成される受信ユニットであって、Ｐは正の整数であり及びＰ≧２である、受信ユニット；
適応伝送リソースと前記適応伝送リソースに対応する伝送パラメータ・セットとを決定するように構成される処理ユニット；及び
前記適応伝送リソースと前記伝送パラメータ・セットとに基づいて、パイロットとデータとを前記ネットワーク・デバイスへ送信するように構成される送信ユニット；
を含む端末。
【請求項２８】
前記専用伝送リソースは、以下のもの：パイロット、コードブック、シグネチャ・シーケンス、及び時間−周波数リソースのうちの少なくとも１つを含む、請求項２７に記載の端末。
【請求項２９】
前記伝送パラメータ・セットは、以下のパラメータ：変調及び符号化方式、電力制御パラメータ、冗長バージョン、及びトランスポート・ブロック・サイズのうちの少なくとも１つを含む、請求項２７又は２８に記載の端末。
【請求項３０】
前記専用伝送リソースは、前記伝送パラメータ・セットと１対１対応にある、請求項２７−２９のうち何れか一項に記載の端末。
【請求項３１】
前記処理ユニットが、前記適応伝送リソースと前記適応伝送リソースに対応する伝送パラメータ・セットとを決定するように構成されることは、具体的には：
前記Ｐ個の専用伝送リソースに対応するＰ個の伝送パラメータ・セットの中で最も合致する伝送パラメータ・セットに対応する前記専用伝送リソースを、チャネル状態及びＱｏＳ要求に基づいて、前記適応伝送リソースとして前記処理ユニットにより選択することである、請求項２７−３０のうち何れか一項に記載の端末。
【請求項３２】
前記受信ユニットは、前記ネットワーク・デバイスにより送信される共通伝送リソース情報を受信するように更に構成される、請求項２７−３１のうち何れか一項に記載の端末。
【請求項３３】
ネットワーク・デバイスであって：
グラント・フリー伝送に使用されるＰ個の専用伝送リソースに関する情報を端末へ送信するように構成される送信ユニットであって、Ｐは正の整数であり及びＰ≧２である、送信ユニット；
グラント・フリー伝送のデータとグラント・フリー伝送リソースにおける前記データのパイロットとを受信するように構成される受信ユニット；及び
前記専用伝送リソースを検出し、そしてグラント・フリー伝送が検出された場合、前記専用伝送リソースに対応する伝送パラメータ・セットに基づいて前記データを検出するように構成される処理ユニット；
を含むネットワーク・デバイス。
【請求項３４】
前記専用伝送リソースは、以下のもの：パイロット、コードブック、シグネチャ・シーケンス、及び時間−周波数リソースのうちの少なくとも１つを含む、請求項３３に記載のネットワーク・デバイス。
【請求項３５】
前記伝送パラメータ・セットは、以下のもの：変調及び符号化方式、電力制御パラメータ、冗長バージョン、及びトランスポート・ブロック・サイズのうちの少なくとも１つを含む、請求項３３又は３４に記載のネットワーク・デバイス。
【請求項３６】
前記専用伝送リソースは、前記伝送パラメータ・セットと１対１対応にある、請求項３３−３５のうち何れか一項に記載のネットワーク・デバイス。
【請求項３７】
前記処理ユニットは、Ｍ個の専用伝送リソースから前記Ｐ個の専用伝送リソースを選択するように更に構成され、Ｍは正の整数であり及びＭ≧Ｐである、請求項３３−３６のうちの何れか一項に記載のネットワーク・デバイス。
【請求項３８】
前記送信ユニットは、共通伝送リソース情報を送信するように更に構成される、請求項３３−３７のうちの何れか一項に記載のネットワーク・デバイス。
【請求項３９】
読み取り可能ストレージ媒体とコンピュータ・プログラムとを含むストレージ媒体であって、前記コンピュータ・プログラムは、請求項１−６のうち何れか一項に記載の前記端末デバイスにより実行される前記グラント・フリー伝送方法を実現するために使用される、ストレージ媒体。
【請求項４０】
読み取り可能ストレージ媒体とコンピュータ・プログラムとを含むストレージ媒体であって、前記コンピュータ・プログラムは、請求項７−１２のうち何れか一項に記載の前記ネットワーク・デバイスにより実行される前記グラント・フリー伝送方法を実現するために使用される、ストレージ媒体。
【発明の詳細な説明】
【技術分野】
【０００１】
本発明は通信分野に関連し、そして特に通信分野におけるグラント・フリー伝送方法、端末、及びネットワーク・デバイスに関連する。
【背景技術】
【０００２】
将来の５Ｇ通信システムは幅広い多様な端末をサポートする必要がある。端末のエネルギ消費を減らすためには、端末をパワー・セービング状態に維持し、及び信号の相互作用プロセスを減らすことは、不可避の選択である。従って、５Ｇ通信システムでは、ＥＣＯ（Ｅｃｏｎｏｍｙ  ｏｒ  Ｅｎｅｒｇｙ  Ｃｏｎｓｅｒｖａｔｉｖｅ  Ｏｐｅｒａｔｉｏｎ）状態又は無線リソース制御（Ｒａｄｉｏ  Ｒｅｓｏｕｒｃｅ  Ｃｏｎｔｒｏｌ、略称「ＲＲＣ」）インアクティブ状態（ＲＲＣインアクティブ状態）とここで言及され得る新たな状態（新状態）が導入される。端末がＥＣＯ状態にある場合、送信されるべきデータが無ければ端末はネットワークと相互作用しない。従って、端末はネットワークに対するエア・インターフェース・コネクションを維持せず、またアップリンク同期状態にもない。導入されるＥＣＯ状態はグラント・フリー（Ｇｒａｎｔ  Ｆｒｅｅ）伝送に適用可能である。
【０００３】
グラント・フリー伝送は、将来的なネットワークにおける様々なサービス、例えば、マシン・タイプ通信（Ｍａｃｈｉｎｅ  Ｔｙｐｅ  Ｃｏｍｍｕｎｉｃａｔｉｏｎ，略称「ＭＴＣ」）サービス又は超信頼性及び低遅延通信（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎｓ，略称「ＵＲＬＬＣ」）サービスを解決し、低遅延及び高信頼性サービス伝送要求を満足することが可能である。グラント・フリー伝送はアップリンク・データ伝送に特有であってもよい。グラント・フリー伝送はまた、自発的アクセス、自発的多重アクセス、又は競合ベース多元接続等の他の名称で言及されてもよい。
【０００４】
グラント・フリー伝送は、ネットワークが、端末のデータ伝送のためにリアル・タイム・リソース・スケジューリングを実行する必要がないこと、及びネットワーク・デバイスが、グラント・フリー伝送に使用される時間−周波数リソース及びパイロット・リソースをブロードキャストすることを意味する。複数の端末が同時にデータを送信する必要がある場合、端末は、通常、競合ベース方式でパイロットをランダムに選択し、そしてデータを送信するために予め設定されているリソースをランダムに選択する。換言すれば、複数の端末が同じリソースで競合ベース伝送を実行し、そしてパイロット衝突が生じるかもしれず、伝送の正確性に影響を及ぼし且つより多くの遅延を引き起こす。従って、グラント・フリー伝送モードでは、信頼性のある伝送を必要とするレイテンシに敏感でないサービスは、比較的処理することが容易である。しかしながら、ビークル・ツー・ビークル（Ｖｅｈｉｃｌｅ  ｔｏ  Ｖｅｈｉｃｌｅ，Ｖ２Ｖ）通信等のＵＲＬＬＣサービスに関し、このケースで衝突が生じると、伝送は非信頼性であるかもしれず、再送が引き起こされるかもしれず、そして伝送遅延が過剰に大きくなるかもしれず、そして要求を満足することはできない。これは深刻な結末を招くかもしれない。従って、信頼性のある伝送を保証し、及びグラント・フリー伝送でリソース割当を省略することによりもたらされる短い遅延の恩恵が使用されることを保証するために、ＵＲＬＬＣ要求を伴う端末は、通常、トレード・オフ方式を使用する。具体的には、グラント・フリー伝送の特徴に従って、特有の時間−周波数リソースは何ら端末に割り当てられないが、ＥＣＯ状態が確立され及び設定される場合、端末に専用のパイロットが端末に割り当てられる。このようにして、アップリンク伝送を実行する必要がある場合、端末は専用パイロットと対応するデータとを送信する。いったんネットワーク・デバイスが専用パイロットを検出すると、ネットワーク・デバイスは、データが端末により送信されていることを明確に知り、これによりパイロットの衝突を効果的に回避する。
【０００５】
更に、リソースはグラント・フリー伝送においてプリセットされる。従って、検出の複雑性を減らすため、グラント・フリー伝送を実行する必要がある場合、端末は、通常、プリセットされた固定の伝送パラメータ、即ち、固定された変調及び符号化方式（Ｍｏｄｕｌａｔｉｏｎ  ａｎｄ  Ｃｏｄｉｎｇ  Ｓｃｈｅｍｅ，ＭＣＳ）を使用する。端末がＭＣＳを調節する必要がある場合、端末は、アップリンク伝送中に使用されるＭＣＳをネットワーク・デバイスに通知するために付加的な制御情報を搬送する必要があり、貴重なアップリンク・エア・インターフェース・リソースを消費する。
【発明の概要】
【０００６】
この観点において、本発明の実施形態は、端末が付加的な制御情報を送信すること無く使用される伝送パラメータをネットワーク・デバイスに通知することができるように、グラント・フリー伝送方法、端末、及びネットワーク・デバイスを提供し、これにより、グラント・フリー伝送のアップリンク・エア・インターフェース・リソースを節約する。
【０００７】
第１態様によれば、グラント・フリー伝送方法が提供され、方法は：グラント・フリー伝送に使用されるＰ個の専用伝送リソースに関するものであり及びネットワーク・デバイスにより送信される情報を、端末により受信するステップであって、Ｐは正の整数であり及びＰ≧２である、ステップ；Ｐ個の専用伝送リソースから１つの適応伝送リソースを端末により選択するステップ；及び適応伝送リソースと適応伝送リソースに対応する伝送パラメータ・セットとを使用することによりグラント・フリー伝送を、端末により実行するステップを含む。この方法を使用することにより、端末は、グラント・フリー伝送を実行する前に複数の専用伝送リソースを割り当てられることが可能であり、複数の専用伝送リソースは異なる伝送パラメータ・セットに対応し、そのため端末は専用制御チャネルを送信すること無く伝送パラメータを調節し、そして端末のＩＤを送信することを必要とせず、これにより貴重なアップリンク・エア・インターフェース・リソースを効果的に節約する。
【０００８】
オプションで、第１態様の実装において、専用伝送リソースは、以下のもの：パイロット、コードブック、シグネチャ・シーケンス、及び時間−周波数リソースのうちの少なくとも１つを含む。
【０００９】
オプションで、第１態様の実装において、伝送パラメータ・セットは、以下のパラメータ：変調及び符号化方式、電力制御パラメータ、冗長バージョン、及びトランスポート・ブロック・サイズのうちの少なくとも１つを含む。
【００１０】
オプションで、第１態様の実装において、専用伝送リソースは、伝送パラメータ・セットと１対１対応にある。
【００１１】
オプションで、第１態様の実装において、Ｐ個の専用伝送リソースから１つの適応伝送リソースを端末により選択するステップは、具体的には：Ｐ個の専用伝送リソースに対応するＰ個の伝送パラメータ・セットの中で最も合致する伝送パラメータ・セットに対応する専用伝送リソースを、チャネル状態及びＱｏＳ要求に基づいて、適応伝送リソースとして選択するステップである。
【００１２】
オプションで、第１態様の実装において、端末は、ネットワーク・デバイスにより送信される共通伝送リソース情報を更に受信する。
【００１３】
第２態様によれば、グラント・フリー伝送方法が提供され、方法は：グラント・フリー伝送に使用されるＰ個の専用伝送リソースに関する情報を、ネットワーク・デバイスにより端末へ送信するステップであって、Ｐは正の整数であり及びＰ≧２である、ステップ；及び専用伝送リソースをネットワーク・デバイスにより検出し、そしてグラント・フリー伝送が検出された場合、専用伝送リソースに対応する伝送パラメータ・セットに基づいてデータを検出するステップを含む。この方式では、受信中に、ネットワーク・デバイスは、グラント・フリー伝送を実行する端末を暗黙に決定することが可能であり、及び明示的な端末ＩＤを必要とせず、これによりアップリンク・エア・インターフェース・リソースを節約する。
【００１４】
オプションで、第２態様の実装において、専用伝送リソースは、以下のもの：パイロット、コードブック、シグネチャ・シーケンス、及び時間−周波数リソースのうちの少なくとも１つを含む。
【００１５】
オプションで、第２態様の実装において、伝送パラメータ・セットは、以下のもの：変調及び符号化方式、電力制御パラメータ、冗長バージョン、及びトランスポート・ブロック・サイズのうちの少なくとも１つを含む。
【００１６】
オプションで、第２態様の実装において、専用伝送リソースは、伝送パラメータ・セットと１対１対応にある。
【００１７】
オプションで、第２態様の実装において、Ｐ個の専用伝送リソースはＭ個の専用伝送リソースから選択され、Ｍは正の整数であり及びＭ≧Ｐである。
【００１８】
オプションで、第２態様の実装において、ネットワーク・デバイスは共通伝送リソース情報を更に送信する。
【００１９】
第３態様によれば、端末が提供され、端末デバイスは、第１態様及び様々な実装に従う上記のグラント・フリー伝送方法において端末デバイスにより実行されるプロセスを実行するように構成されてよい。端末は：グラント・フリー伝送に使用されるＰ個の専用伝送リソースに関するものであり及びネットワーク・デバイスにより送信される情報を受信するように構成される受信ユニットであって、Ｐは正の整数であり及びＰ≧２である、受信ユニット；適応伝送リソースと適応伝送リソースに対応する伝送パラメータ・セットとを決定するように構成される処理ユニット；及び適応伝送リソースと伝送パラメータ・セットとに基づいて、パイロットとデータとをネットワーク・デバイスへ送信するように構成される送信ユニットを含む。
【００２０】
第４態様によれば、ネットワーク・デバイスが提供され、ネットワーク・デバイスは、第２態様及び様々な実装に従う上記のグラント・フリー伝送方法においてネットワーク・デバイスにより実行されるプロセスを実行するように構成されてよい。ネットワーク・デバイスは、グラント・フリー伝送に使用されるＰ個の専用伝送リソースに関する情報を端末へ送信するように構成される送信ユニットであって、Ｐは正の整数であり及びＰ≧２である、送信ユニット；グラント・フリー伝送のデータとグラント・フリー伝送リソースにおけるデータのパイロットとを受信するように構成される受信ユニット；及び専用伝送リソースを検出し、そしてグラント・フリー伝送が検出された場合、専用伝送リソースに対応する伝送パラメータ・セットに基づいてデータを検出するように構成される処理ユニットを含む。
【００２１】
第５態様によれば、端末デバイスが提供され、端末デバイスは、第１態様及び様々な実装に従う上記のグラント・フリー伝送方法において端末デバイスにより実行されるプロセスを実行するように構成されてよい。端末デバイスは、プロセッサ、トランスミッタ、及びレシーバを含む。レシーバは、グラント・フリー伝送に使用されるＰ個の専用伝送リソースに関するものであり及びネットワーク・デバイスにより送信される情報を受信するように構成され、Ｐは正の整数であり及びＰ≧２である。プロセッサは、適応伝送リソースと適応伝送リソースに対応する伝送パラメータ・セットとを決定するように構成される。トランスミッタは、適応伝送リソースと伝送パラメータ・セットとに基づいて、パイロットとデータとをネットワーク・デバイスへ送信するように構成される。
【００２２】
第６態様によれば、ネットワーク・デバイスが提供され、ネットワーク・デバイスは、第２態様及び様々な実装に従う上記のグラント・フリー伝送方法においてネットワーク・デバイスにより実行されるプロセスを実行するように構成されてよい。端末デバイスは、プロセッサ、トランスミッタ、及びレシーバを含む。トランスミッタは、グラント・フリー伝送に使用されるＰ個の専用伝送リソースに関する情報を端末へ送信するように構成され、Ｐは正の整数であり及びＰ≧２である。レシーバは、グラント・フリー伝送のデータとグラント・フリー伝送リソースにおけるデータのパイロットとを受信するように構成される。プロセッサは、専用伝送リソースを検出し、そしてグラント・フリー伝送が検出された場合、専用伝送リソースに対応する伝送パラメータ・セットに基づいてデータを検出するように構成される。
【００２３】
第７態様によれば、コンピュータ読み取り可能なストレージ媒体が提供され、コンピュータ読み取り可能なストレージ媒体はプログラムを保存し、そしてプログラムは、第１態様又はその様々な実装のうちの任意の１つに従って上記のグラント・フリー伝送方法を、端末デバイスが実行できるようにする。
【００２４】
第８態様によれば、コンピュータ読み取り可能なストレージ媒体が提供され、コンピュータ読み取り可能なストレージ媒体はプログラムを保存し、そしてプログラムは、第２態様又はその様々な実装のうちの任意の１つに従って上記のグラント・フリー伝送方法を、ネットワーク・デバイスが実行できるようにする。
【図面の簡単な説明】
【００２５】
本発明の実施形態における技術的ソリューションをより明確に説明するために、以下、本発明の実施形態を説明するために必要とされる添付図面を簡単に説明する。明らかに、以下の説明における添付図面は、単に本発明の幾つかの実施形態を示しているに過ぎず、そして当業者は創作的労力無しにこれらの添付図面から他の図面を導出し得る。
【００２６】
【図１】図１は本発明の実施形態による通信システムの概略的なアーキテクチャ図である。
【００２７】
【図２】図２は従来のグラント・フリー伝送のフローチャートである。
【００２８】
【図３】図３は本発明の実施形態によるグラント・フリー伝送のフローチャートである。
【００２９】
【図４】図４は本発明の実施形態による端末の概略的な構造図である。
【００３０】
【図５】図５は本発明の実施形態による端末の概略的な構造図である。
【００３１】
【図６】図６は本発明の実施形態による端末のシステム・チップの概略的な構造図である。
【００３２】
【図７】図７は本発明の実施形態によるネットワーク・デバイスの概略的な構造図である。
【００３３】
【図８】図８は本発明の実施形態によるネットワーク・デバイスの概略的な構造図である。
【００３４】
【図９】図９は本発明の実施形態によるネットワーク・デバイスのシステム・チップの概略的な構造図である。
【発明を実施するための形態】
【００３５】
以下、本発明の実施形態における添付図面に関連して本発明の実施形態における技術的ソリューションを明確に及び完全に説明する。明らかに、説明される実施形態は本発明の実施形態の全部ではなく幾つかである。創作的労力無しに本発明の実施形態に基づいて当業者により得られる他の全ての実施形態は、本発明の保護範囲内に属する。
【００３６】
本明細書で使用される「コンポーネント」、「モジュール」、及び「システム」等の用語は、コンピュータ関連エンティティ、ハードウェア、ファームウェア、ハードウェアとソフトウェアとの組み合わせ、ソフトウェア、又は実行されるソフトウェアを示すように使用される。例えば、コンポーネントは、プロセッサで動作するプロセス、プロセッサ、オブジェクト、実行可能ファイル、実行のスレッド、プログラム、及び／又はコンピュータであってもよいが、これらに限定されない。図面に示されるように、コンピューティング・デバイスで動作するコンピューティング・デバイス及びアプリケーション双方がコンポーネントであってもよい。１つ以上のコンポーネントがプロセス及び／又は実行のスレッド内に存在してもよく、そしてコンポーネントは１つのコンピュータに位置してもよく、及び／又は２つ以上のコンポーネントの間に分散されてもよい。更に、これらのコンポーネントは、様々なデータ構造を保存する様々なコンピュータ読み取り可能な媒体から実行されてもよい。コンポーネントは、ローカル及び／又はリモートのプロセスを使用することにより、及び例えば１つ以上のデータ・パケット（例えば、ローカル・システム、分散システムにおける他のコンポーネントと相互作用する、及び／又は信号を利用することにより他のシステムと相互作用するインターネット等のネットワークを介して相互作用する２つのコンポーネントからのデータ）を有する信号に基づいて通信してもよい。
【００３７】
本発明の実施形態の技術的ソリューションは、グローバル・システム・フォー・モバイル・コミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ，略称「ＧＳＭ」）システム、符号分割多元接続（Ｃｏｄｅ  Ｄｉｖｉｓｉｏｎ  Ｍｕｌｔｉｐｌｅ  Ａｃｃｅｓｓ，  略称「ＣＤＭＡ」）システム、ワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，略称「ＷＣＤＭＡ」）システム、ロング・ターム・エボリューション（Ｌｏｎｇ  Ｔｅｒｍ  Ｅｖｏｌｕｔｉｏｎ，略称「ＬＴＥ」）システム、ＬＴＥ周波数分割複信（Ｆｒｅｑｕｅｎｃｙ  Ｄｉｖｉｓｉｏｎ  Ｄｕｐｌｅｘ，略称「ＦＤＤ」）システム、ＬＴＥ時分割複信（Ｔｉｍｅ  Ｄｉｖｉｓｉｏｎ  Ｄｕｐｌｅｘ，「ＴＤＤ」）、ユニバーサル・モバイル・テレコミュニケーションズ・システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ，略称「ＵＭＴＳ」）、及び将来の５Ｇ通信システム等の様々な通信システムに適用されてよいことが理解されるべきである。
【００３８】
本発明は端末に関して実施形態を描写する。端末はまた、ユーザー装置（Ｕｓｅｒ  Ｅｑｕｉｐｍｅｎｔ，略称「ＵＥ」）、アクセス端末、加入者ユニット、加入者局、移動局、移動局、リモート局、リモート端末、モバイル・デバイス、ユーザー端末、端末、ワイヤレス通信デバイス、ユーザー・エージェント、又はユーザー装置であってもよい。アクセス端末は、セルラー電話機、コードレス電話機、セッション・イニシエーション・プロトコル（Ｓｅｓｓｉｏｎ  Ｉｎｉｔｉａｔｉｏｎ  Ｐｒｏｔｏｃｏｌ，略称「ＳＩＰ」）電話機、ワイヤレス・ローカル・ループ（Ｗｉｒｅｌｅｓｓ  Ｌｏｃａｌ  Ｌｏｏｐ，ＷＬＬ）局、パーソナル・ディジタル・アシスタント（Ｐｅｒｓｏｎａｌ  Ｄｉｇｉｔａｌ  Ａｓｓｉｓｔａｎｔ，略称「ＰＤＡ」）、ワイヤレス通信機能を有する携帯デバイス、通信デバイス又は無線モデムに接続される他の処理デバイス、車載デバイス、ウェアラブル・デバイス、将来の５Ｇネットワークにおける端末、将来のエボルブドＰＬＭＮネットワークにおける端末等であってもよい。
【００３９】
本発明はネットワーク・デバイスに関して実施形態を描写する。ネットワーク・デバイスは端末と通信するように構成されるデバイスであってもよい。例えば、ネットワーク・デバイスは、ＧＳＭシステム又はＣＤＭＡシステムにおけるベース・トランシーバ局（Ｂａｓｅ  Ｔｒａｎｓｃｅｉｖｅｒ  Ｓｔａｔｉｏｎ，略称「ＢＴＳ」）、又はＷＣＤＭＡシステムにおけるノードＢ（ＮｏｄｅＢ，略称「ＮＢ」）、又はＬＴＥシステムにおけるエボルブド・ノードＢ（Ｅｖｏｌｖｅｄ  ＮｏｄｅＢ，略称「ｅＮＢ」又は「ｅＮｏｄｅＢ」）であってもよく；又はネットワーク・デバイスは、中継局、アクセス・ポイント、車載デバイス、送信ポイント、ウェアラブル・デバイス、及び将来の５Ｇネットワークにおけるネットワーク・サイド・デバイス、又は将来のエボルブドＰＬＭＮネットワークにおけるネットワーク・デバイス、又はネットワーク機能を請け負う任意のデバイスであってもよい。
【００４０】
図１は本発明の実施形態による通信システムの概略的なアーキテクチャ図である。図１に示されるように、通信システムは、ネットワーク・デバイス１０、端末２１、端末２２、端末２３、及び端末２４を含んでもよく、これらは無線で接続される。端末２１、端末２２、端末２３、及び端末２４はネットワーク・デバイス１０を介してワイヤレス通信システム全体にアクセスする。
【００４１】
本発明のこの実施形態におけるネットワークはパブリック・ランド・モバイル・ネットワーク（Ｐｕｂｌｉｃ  Ｌａｎｄ  Ｍｏｂｉｌｅ  Ｎｅｔｗｏｒｋ，略称「ＰＬＭＮ」）、又はデバイス・ツー・デバイス（Ｄｅｖｉｃｅ  ｔｏ  Ｄｅｖｉｃｅ，略称「Ｄ２Ｄ」）ネットワーク、又はマシン・ツー・マシン／マン（Ｍａｃｈｉｎｅ  ｔｏ  Ｍａｃｈｉｎｅ／Ｍａｎ，略称「Ｍ２Ｍ」）ネットワーク、又は他のネットワークであってもよい。図１は単なる具体例の簡略化された概略図であるに過ぎない。ネットワークは、図１に描かれていない他のネットワーク・デバイス及び他の端末を更に含んでもよい。
【００４２】
本発明のこの実施形態で説明されるデータは、サービス・データ又はシグナリング・データを含んでもよい。グラント・フリー伝送のための伝送リソースは、以下のリソース：無線フレーム、サブフレーム、又はシンボル等の時間ドメイン・リソース；サブキャリア又はリソース・ブロック等の周波数ドメイン・リソース；送信アンテナ又はビーム等の空間ドメイン・リソース；スパース符号多元接続（Ｓｐａｒｓｅ  Ｃｏｄｅ  Ｍｕｌｔｉｐｌｅ  Ａｃｃｅｓｓ，略称「ＳＣＭＡ」）コードブック・グループ、低密度シグネチャ（Ｌｏｗ  Ｄｅｎｓｉｔｙ  Ｓｉｇｎａｔｕｒｅ，略称「ＬＤＳ」）グループ、又はＣＤＭＡコード・グループ等の符号ドメイン・リソース；アップリンク・パイロット・リソース；インターリービング・リソース；及びチャネル符号化方式のうちの１つ以上の組み合わせを含んでもよいが、これらに限定されない。
【００４３】
上記の伝送リソースは以下の制御機構に基づいて実行される伝送のために使用されてよく、それらは：アップリンク電力制御パラメータにより表現される、例えばアップリンク電力上限制御等のアップリンク電力制御；トランスポート・ブロック・サイズ及びＭＣＳ等のパラメータにより表現される、例えばトランスポート・ブロック・サイズ、符号化率、及び変調次数の設定等の変調及び符号化方式ＭＣＳ設定；及び、例えばハイブリッド・オートマチック・リピート・リクエスト（Ｈｙｂｒｉｄ  Ａｕｔｏｍａｔｉｃ  Ｒｅｐｅａｔ  ｒｅｑｕｅｓｔ，略称「ＨＡＲＱ」）機構又はＲＶバージョン等のパラメータにより表現される冗長バージョン（Ｒｅｄｕｎｄａｎｃｙ  Ｖｅｒｓｉｏｎ，ＲＶ）制御等の再送機構を含むが、これらに限定されない。
【００４４】
図２は既存の従来のグラント・フリー伝送プロシジャを示す一方、図３は本願における改善されたグラント・フリー伝送プロシジャを示す。本願に関連する部分のみが示されていること、及びＥＣＯ状態を確立するために必要とされるシグナリング・インターワーキング等のプロシジャは示されていないことに留意すべきである。
【００４５】
図２に示されるように、ステップ２１０において、ネットワーク・デバイスは端末に対するＩＤ（英語フルネーム：ｉｄｅｎｔｉｔｙ，チャイニーズ・フルネーム：識別子）を設定する。ＩＤはＬＴＥシステムにおけるＣ−ＲＮＴＩ（英語フルネーム：Ｃｅｌｌ  Ｒａｄｉｏ  Ｎｅｔｗｏｒｋ  Ｔｅｍｐｏｒａｒｙ  Ｉｄｅｎｔｉｆｉｅｒ，チャイニーズ・フルネーム：セル無線網一時識別子）に類似していてもよく、又は例えばマルチキャスト・ブロードキャスト通信におけるグループ番号等の、ネットワーク・デバイスのサービス範囲内にある異なる端末の間で区別する他の識別方式であってもよい。プロセスは、通常、端末がネットワーク・デバイスにアクセスするプロセスで生じ、又はグラント・フリー伝送が実行される必要があることを決定するために端末及びネットワーク・デバイスがケーパビリティ・ネゴシエーションを実行する場合に生じてもよい。
【００４６】
ステップ２２０：ネットワーク・デバイスが、グラント・フリー伝送に使用される伝送リソース情報を端末に通知する。一般に、ネットワーク・デバイスは、ブロードキャスト方式で情報を、応対される端末に通知する。
【００４７】
ステップ２３０：グラント・フリー伝送を開始する前に、端末は、グラント・フリー伝送に使用される受信した伝送リソース情報に対応する伝送リソースから、パイロットと時間−周波数リソースとを選択する。
【００４８】
ステップ２４０：送信されるべきデータ及びＩＤが、グラント・フリー伝送に使用されるプリセットＭＣＳに基づいて符号化及び変調された後、ステップ２３０で決定されたグラント・フリー伝送リソースにおいて、パイロット、ＩＤ、及びデータを含むがこれらに限定されない内容を送信する。一般に、ＩＤ及びデータは符号化のために組み合わせられる。
【００４９】
ステップ２５０：ネットワーク・デバイスがグラント・フリー・リソースにおけるパイロットを先ず検出し、次にパイロットに基づいてチャネルを検出し、そして次にＩＤ及びデータを検出する。
【００５０】
上述したように、グラント・フリー伝送のための時間は固定されておらず、そしてそれ故にＭＣＳはリアル・タイムで決定されることは不可能である。従ってソリューションは固定ＭＣＳを使用することである。しかしながら、これは以下の問題を引き起こす：たとえ現在のチャネル状態が非常に良かったとしても、端末は高次のＭＣＳを使用することはできず、そしてそれ故にリソースは節約され得ない。逆に、たとえ現在のチャネル状態が非常に悪かったとしても、端末は信頼性を向上させるために低次のＭＣＳを使用することはできず、そしてそれ故に正確な伝送を実行できず、非所望の再送を引き起こす。別のソリューションは端末がリアル・タイムＭＣＳを使用することである。しかしながら、このソリューションでは、端末はＭＣＳを指定するために付加的な制御情報を搬送するように要求される。このケースでは、貴重なアップリンク・エア・インターフェース・リソースが浪費され、及びグラント・フリー伝送の検出中に、ネットワーク・デバイスは：パイロット、制御情報、及びデータの３つのパートを検出する必要があり、非所望の遅延を生じさせる。更に、制御情報の検出を保証する仕方もまた問題である。
【００５１】
この問題を解決するために、本願は少なくとも２つの専用伝送リソースが各端末に設定されることを提案し（一般性を失うこと無く、２つのパイロットが以下の全ての説明において具体例として使用される）、それにより、付加的な制御シグナリングのアップリンク伝送を引き起こすこと無しに、ＭＣＳはグラント・フリー伝送で適応的に調節され得るようになる。２つのパイロットは端末に専用とされ、他の端末によって再利用され得ず、そしてそれ故に実際に端末ＩＤ機能もまた請け負う。２つのパイロットは異なるＭＣＳに対応する。例えば、端末Ａのために設定されるパイロット１はＱＰＳＫ変調方式と１／３の符号化率とが使用されることを示し、及びパイロット２は１６ＱＡＭ変調方式と１／２の符号化率とが使用されることを示し；及び端末Ｂのために設定されるパイロット３はＱＰＳＫ変調方式と１／３の符号化率とが使用されることを示し、及びパイロット４は１６ＱＡＭ変調方式と１／２の符号化率とが使用されることを示す。換言すれば、そのような設定方式において、グラント・フリー伝送は２つの異なるＭＣＳをサポートすることができる。具体的なプロセスは図３に示される。
【００５２】
ステップ３１０：ネットワーク・デバイスが端末のために２つの専用パイロットを設定し、２つのパイロットは異なるＭＣＳに対応する。２つのパイロットは端末に専用とされ、そして端末がグラント・フリー伝送モードを出るまで解放されない。２つの専用パイロットを受信した後、端末は、パイロットとＭＣＳとの間の対応に基づいて２つの利用可能なＭＣＳを取得する。２つの専用パイロットはまた、ある意味でＩＤ機能を請け負い、そしてそれ故に２つのＩＤが端末のために設定されたと考えられてさえよい。
【００５３】
ステップ３２０：ネットワーク・デバイスが、グラント・フリー伝送に使用される共通伝送リソースに関する情報を端末に通知する。一般に、ネットワーク・デバイスは、ブロードキャスト方式で情報を、応対される端末に通知する。ここで伝送リソースは、通常、端末によりランダムに選択される。ここで共通伝送リソースは、グラント・フリー伝送を実行する全ての端末により占められることが可能な伝送リソースである。
【００５４】
ステップ３３０：グラント・フリー伝送を開始する前に、端末は、現在のチャネル状態（パス・ロス、スモール・スケール・フェージング、及び干渉状態等の情報を含む）と、ＱｏＳ（英語フルネーム：Ｑｕａｌｉｔｙ  ｏｆ  Ｓｅｒｖｉｃｅ，チャイニーズ・フルネーム：サービスの品質）と、グラント・フリー伝送に使用されるリソースに関する受信した情報に対応する共通伝送リソースとに基づいて、２つのＭＣＳから、最も合致するＭＣＳを選択し、そして選択されたＭＣＳに基づいて、ＭＣＳに対応するパイロットを決定する。
【００５５】
ステップ３４０：選択されたＭＣＳに基づいて符号化及び変調された後に、伝送されるべきデータは、選択された時間−周波数リソースにおいてネットワーク・デバイスへ、選択されたパイロットとともに伝送される。パイロットは端末に結び付けられるので、このソリューションでは、ＩＤ情報が、各々の伝送中に個々に伝送される必要はなく、これによりアップリンク・エア・インターフェース・リソースを効果的に節約する。
【００５６】
ステップ３５０：ネットワーク・デバイスはグラント・フリー・リソースにおけるパイロットを先ず盲目的に検出し、そしてパイロットが検出された場合、それはグラント・フリー伝送が存在することを示し、そしてネットワーク・デバイスは、グラント・フリー伝送を実行する端末を決定し、パイロットとＭＣＳとの間の対応に基づいて検出されるべきデータのＭＣＳを決定し、そして次にデータを検出してもよい。
【００５７】
上記のフローチャートは単なる具体例であり、そして実際には方法は以下の実装を含んでよいが、それらに限定されない。例えば：
【００５８】
方法１：２つの異なるＭＣＳに加えて、２つのパイロットは２つの異なる伝送パラメータ・セットに対応してもよい。伝送パラメータ・セットは以下のパラメータ：ＭＣＳ、アップリンク電力制御パラメータ、ＲＶバージョン、及び／又はトランスポート・ブロック・サイズを含むが、これらに限定されない。いったん端末がアップリンク伝送に使用されるパイロットを決定すると、それはパイロットに対応する伝送パラメータが選択されたことを意味する。異なるパラメータ・セットは少なくとも１つの異なるパラメータを有する。もちろん、伝送パラメータ・セットは、伝送に使用される、より多くのパラメータを更に含んでもよい。
【００５９】
方法２：異なる端末の異なるサービス・タイプに基づいて異なる設定が実行される。上記の具体例では、端末Ｂに割り当てられるパイロット３はＱＰＳＫ変調と１／３の符号化率とが使用されることを示し、及びパイロット４はＱＰＳＫ変調と１／２の符号化率とが使用されることを示す。このように、各端末は依然として２つのみのＭＣＳ（又はアップリンク電力制御パラメータ、又はＲＶバージョン、又はトランスポート・ブロック・サイズ、等々。ここでＭＣＳは単なる具体例に過ぎない）をサポートするが、グラント・フリー伝送全体は３つのＭＣＳをサポートする。類推すると、Ｎ個のパイロットがＭ個のグループに分けられてもよく、各グループは１つのＭＣＳに対応し、そして合計Ｍ個のＭＣＳがサポートされる。このようにして、ＱｏＳに基づいて異なるパイロット・グループからＰ個のグループのみが選択されることを必要とし、そして１つのパイロットがＰ個のグループの各々から選択され、そして端末に設定される。このようにして、各々の端末はＰ個のＭＣＳをサポートすることができ（この具体例では、Ｐ＝２）、Ｐ、Ｍ及びＮの各々は正の整数であり、及び２≦Ｐ≦Ｍ≦Ｎである。
【００６０】
方法３：この具体例では、２つのパイロットが１つの端末に固有に対応する。代替的に、ＳＣＭＡコードブック又はＣＤＭＡシーケンス、２つの異なるシグネチャ・シーケンス、又は他のタイプの異なる伝送リソース等の２つの異なる専用コードブックが、端末に割り当てられ、端末がグラント・フリー伝送を実行する場合に、異なる伝送パラメータのうちの少なくとも２つのセット（ＭＣＳ、電力制御パラメータ、ＲＶバージョン、及び／又はトランスポート・ブロック・サイズを含むが、これらに限定されない）が、利用可能であることを保証する。更に、２つの異なる伝送パラメータの各々は、ネットワーク・デバイスに対してトランスペアレントである。換言すれば、ネットワーク・デバイスによりグラント・フリー伝送検出を実行する複雑さは増加しない。同様に、代替的に、端末は、異なる伝送パラメータに対応する異なる時間−周波数リソースを割り当てられてもよい。これらの伝送リソース（パイロット、コードブック、シグネチャ・シーケンス、及び／又は時間−周波数リソース・ロケーションを含むが、これらに限定されない）が、１つの端末に個々に割り当てられることの説明及び考察をし易くするため、伝送リソースは、専用伝送リソースとして言及されてもよい。通信システム全体では、Ｍ個の専用伝送リソースが存在してもよく、及びＭ個の専用伝送リソースはＭ個の伝送パラメータ・セットと１対１対応にある。各々の伝送パラメータ・セットは、以下のパラメータ：ＭＣＳ、電力制御パラメータ、ＲＶバージョン、及び／又は専用伝送リソースのトランスポート・ブロック・サイズを含むが、これらに限定されない。ネットワーク・デバイスは、Ｐ個の専用伝送リソースをＭ個の専用伝送リソースから選択し、そしてＰ個の専用伝送リソースを端末のために設定し、Ｐ及びＭは正の整数であり及び２≦Ｐ≦Ｍである。
【００６１】
結論として、各々の専用伝送リソースが１つの伝送パラメータ・セット及び唯１つの端末に対応し、そして各々の端末がＰ個の専用伝送リソースに対応する、具体的には、Ｐ個の専用伝送リソースを割り当てられる条件で、端末は、グラント・フリー伝送を実行するために、Ｐ個の専用伝送リソースに対応するＰ個の伝送パラメータから、適切な伝送パラメータをチャネル状態及びＱｏＳに基づいて選択してもよい。それに応じてネットワーク・デバイスは専用伝送リソースに基づいてグラント・フリー伝送の存在を先ず検出する。例えば、専用伝送リソースがパイロットである場合、専用パイロットが検出されたことを条件として、それはグラント・フリー伝送が存在することを示す。別の具体例に関し、専用伝送リソースが時間−周波数リソース・ロケーションである場合、専用時間−周波数リソース・ロケーションにおいてパイロットが検出されたことを条件として、それはグラント・フリー伝送が存在することを示し、Ｐ及びＭは両方とも正の整数であり、及び２≦Ｐ≦Ｍである。次にネットワーク・デバイスは、検出された伝送リソース情報に基づいて、伝送パラメータ・セットとグラント・フリー伝送を実行する端末とを決定し、そして対応するデータを検出してもよい。ステップ３１０における専用伝送リソースの形式で、グラント・フリー伝送のための全ての伝送リソースが各端末に設定される場合、ステップ３２０は省略されてさえもよいことに留意すべきである。
【００６２】
方法４：ネットワーク・デバイスがビームフォーミング（Ｂｅａｍｆｏｒｍｉｎｇ）により複数のビームを形成することが可能であり、そしてビームは互いに独立に区別されることが可能である場合、上記の具体例及び方法１、２、及び３における伝送リソースは同時にビームで多重されてもよい。
【００６３】
方法５：２つの伝送パラメータ・セットを選択する更なる代替方法が存在する。具体的には、各々の端末は唯１つの専用パイロットを割り当てられるが、具体的な伝送中に、第１パラメータ・セット又は第２パラメータ・セットが選択されるか否かは、パイロット又はパイロットの共役（又は反転）を送信することにより示されてもよい。それに応じて、ネットワーク・デバイスは各パイロットを盲目的に検出し、パイロットが検出されない場合に、ネットワーク・デバイスはパイロットの共役（又は反転）を更に検出する必要がある。
【００６４】
上記のプロセスのシーケンス番号は本発明の実施形態における実行シーケンスを意味しないことが理解されるべきである。プロセスの実行シーケンスは、プロセスの機能及び内的なロジックに基づいて決定されるべきであり、及び本発明の実施形態の実現プロセスに関する如何なる限定としても解釈されるべきでない。更に、伝送パラメータ・セットと伝送リソースとの間の対応は、ネットワーク・デバイスと端末とにより事前に合意され、又はプロトコルにより指定されてもよいし、又は端末がネットワーク・デバイスにアクセスする場合にネットワーク・デバイスにより通知されてもよいし、又はブロードキャスト形式でネットワーク・デバイスにより通知されてもよい。通常、対応はプロトコルにより指定されることが好ましい。
【００６５】
明らかに、各々の端末は複数の専用伝送リソースを割り当てられる必要があるので、利用可能なパイロット・リソースを考慮すると、方法はよりいっそうＵＲＬＬＣサービスに利用可能であるが、それは方法が他のサービスに適用できないことを意味しない。
【００６６】
以下、図４ないし図９に関連して本発明の実施形態によるグラント・フリー伝送における端末及びネットワーク・デバイスを説明する。上記の方法の実施形態で説明された技術的特徴は、以下の装置の実施形態に適用可能である。
【００６７】
図４は本発明の実施形態による端末４００を示す。図４に示されるように、端末４００は：
グラント・フリー伝送に使用されるＰ個の専用伝送リソースに関するものであり及びネットワーク・デバイスにより送信される情報を受信するように構成される受信ユニット４０２であって、Ｐは正の整数であり及びＰ≧２である、受信ユニット；
Ｐ個の専用伝送リソースに対応するＰ個の伝送パラメータ・セットの中で最も合致する伝送パラメータ・セットに対応する専用伝送リソースを、チャネル状態及びＱｏＳ要求に基づいて、適応伝送リソースとして選択するように構成される処理ユニット４０３；及び
適応伝送リソースと伝送パラメータ・セットとに基づいて、パイロットとデータとをネットワーク・デバイスへ送信するように構成される送信ユニット４０１を含む。
【００６８】
オプションで、伝送リソースは専用伝送リソースと共通伝送リソースとを含む。
【００６９】
オプションで、専用伝送リソースに関する情報は、パイロット、コードブック、シグネチャ・シーケンス、及び／又は時間−周波数リソース・ロケーションを含むが、これらに限定されない。
【００７０】
オプションで、伝送パラメータは、ＭＣＳ、電力制御パラメータ、ＲＶバージョン、及び／又は専用伝送リソースのトランスポート・ブロック・サイズを含むが、これらに限定されない。
【００７１】
オプションで、専用伝送リソースは、伝送パラメータ・セットと１対１対応にある。
【００７２】
オプションで、受信ユニット４０２は、共通伝送リソース情報を受信するように更に構成される。
【００７３】
本発明のこの実施形態において、送信ユニット４０１はトランスミッタにより実現されてもよく、及び受信ユニット４０２はレシーバにより実現されてもよいことに留意すべきである。図５に示されるように、端末５００はプロセッサ５１０、トランシーバ５２０、及びメモリ５３０を含んでもよい。トランシーバ５２０はレシーバ５２１とトランスミッタ５２２とを含んでもよく、メモリ５３０はプロセッサ５１０により実行されるコード等を保存するように構成されてもよい。端末５００におけるコンポーネントはバス・システム５４０を使用することにより共に結合される。データ・バスに加えて、バス・システム５４０は、電力バス、制御バス、ステータス信号バス等を更に含む。
【００７４】
レシーバ５２１は、グラント・フリー伝送に使用されるＰ個の専用伝送リソースに関するものであり及びネットワーク・デバイスにより送信される情報を受信するように構成され、Ｐは正の整数であり及びＰ≧２である。
【００７５】
プロセッサ５１０は、Ｐ個の専用伝送リソースに対応するＰ個の伝送パラメータ・セットの中で最も合致する伝送パラメータ・セットに対応する専用伝送リソースを、チャネル状態及びＱｏＳ要求に基づいて、適応伝送リソースとして選択するように構成される。
【００７６】
トランスミッタ５２２は、適応伝送リソースと伝送パラメータ・セットとに基づいて、パイロットとデータとをネットワーク・デバイスへ送信するように構成される。
【００７７】
オプションで、伝送リソースは専用伝送リソースと共通伝送リソースとを含む。
【００７８】
オプションで、専用伝送リソースに関する情報は、パイロット、コードブック、シグネチャ・シーケンス、及び／又は時間−周波数リソース・ロケーションを含むが、これらに限定されない。
【００７９】
オプションで、伝送パラメータ・セットは、ＭＣＳ、電力制御パラメータ、ＲＶバージョン、及び／又は専用伝送リソースのトランスポート・ブロック・サイズを含むが、これらに限定されない。
【００８０】
オプションで、専用伝送リソースは、伝送パラメータ・セットと１対１対応にある。
【００８１】
オプションで、レシーバ５２１は、共通伝送リソース情報を受信するように更に構成される。
【００８２】
図６は本発明の実施形態によるシステム・チップの概略的な構造図である。図６において、システム・チップ６００は、入力インターフェース６０１、出力インターフェース６０２、少なくとも１つのプロセッサ６０３、及びメモリ６０４を含む。入力インターフェース６０１、出力インターフェース６０２、プロセッサ６０３、及びメモリ６０４はバス６０５を使用することにより接続される。プロセッサ６０３はメモリ６０４内のコードを実行するように構成される。コードが実行される場合に、プロセッサ６０３は上記の実施形態における端末により実行される方法を実現する。
【００８３】
図４に示される端末４００、図５に示されるネットワーク・デバイス５００、又は図６に示されるシステム・チップ６００は、上記の実施形態における端末により実現される様々なプロセッサを実現することが可能である。繰り返しを避けるため、詳細はここで再び説明されない。
【００８４】
図７は本発明の実施形態によるネットワーク・デバイス７００を示す。図７に示されるように、ネットワーク・デバイス７００は：
グラント・フリー伝送に使用されるＰ個の専用伝送リソースに関する情報をユニキャスト方式で端末へ送信するように構成される送信ユニット７０１であって、Ｐは正の整数であり及びＰ≧２である、送信ユニット；
グラント・フリー伝送のデータとグラント・フリー伝送リソースにおけるデータのパイロットとを受信するように構成される受信ユニット７０２；及び
Ｍ個の専用伝送リソースからＰ個の専用伝送リソースを選択し、そしてＰ個の専用伝送リソースに関する情報を送信ユニット７０１へ送るように構成され；及び専用伝送リソースを検出し、そしてグラント・フリー伝送が検出された場合、専用伝送リソースに対応する伝送パラメータ・セットに基づいてデータを検出するように更に構成される処理ユニットを含む。
【００８５】
オプションで、専用伝送リソースに関する情報は、パイロット、コードブック、シグネチャ・シーケンス、及び／又は時間−周波数リソース・ロケーションを含むが、これらに限定されない。
【００８６】
オプションで、伝送パラメータ・セットは、ＭＣＳ、電力制御パラメータ、ＲＶバージョン、及び／又は専用伝送リソースのトランスポート・ブロック・サイズを含むが、これらに限定されない。
【００８７】
オプションで、専用伝送リソースは、伝送パラメータ・セットと１対１対応にある。
【００８８】
オプションで、送信ユニット７０１はブロードキャスト方式で共通伝送リソース情報を送信するように更に構成される。
【００８９】
本発明のこの実施形態において、送信ユニット７０１はトランスミッタにより実現されてもよく、及び受信ユニット７０２はレシーバにより実現されてもよいことに留意すべきである。図８に示されるように、ネットワーク・デバイス８００はプロセッサ８１０、トランシーバ８２０、及びメモリ８３０を含んでもよい。トランシーバ８２０はレシーバ８２１とトランスミッタ８２２とを含んでもよく、メモリ８３０はプロセッサ８１０により実行されるコード等を保存するように構成されてもよい。ネットワーク・デバイス８００におけるコンポーネントはバス・システム８４０を使用することにより共に結合される。データ・バスに加えて、バス・システム８４０は、電力バス、制御バス、ステータス信号バス等を更に含む。
【００９０】
トランスミッタ８２２は、グラント・フリー伝送に使用されるＰ個の専用伝送リソースに関する情報をユニキャスト方式で端末へ送信するように構成され、Ｐは正の整数であり及びＰ≧２である。
【００９１】
レシーバ８２１は、グラント・フリー伝送のデータとグラント・フリー伝送リソースにおけるデータのパイロットとを受信するように構成される。
【００９２】
プロセッサ８１０は、Ｍ個の専用伝送リソースからＰ個の専用伝送リソースを選択し、そしてＰ個の伝送リソースに関する情報を送信ユニット７０１へ送るように構成され；及び専用伝送リソースを検出し、そしてグラント・フリー伝送が検出された場合、専用伝送リソースに対応する伝送パラメータ・セットに基づいてデータを検出するように更に構成される。
【００９３】
オプションで、伝送リソースは専用伝送リソースと共通伝送リソースとを含む。
【００９４】
オプションで、専用伝送リソースに関する情報は、パイロット、コードブック、シグネチャ・シーケンス、及び／又は時間−周波数リソース・ロケーションを含むが、これらに限定されない。
【００９５】
オプションで、伝送パラメータは、ＭＣＳ、電力制御パラメータ、ＲＶバージョン、及び／又は専用伝送リソースのトランスポート・ブロック・サイズを含むが、これらに限定されない。
【００９６】
オプションで、専用伝送リソースは、伝送パラメータ・セットと１対１対応にある。
【００９７】
オプションで、送信ユニット７０１はブロードキャスト方式で共通伝送リソース情報を送信するように更に構成される。
【００９８】
図９は本発明の実施形態によるシステム・チップの概略的な構造図である。図９において、システム・チップ９００は、入力インターフェース９０１、出力インターフェース９０２、少なくとも１つのプロセッサ９０３、及びメモリ９０４を含む。入力インターフェース９０１、出力インターフェース９０２、プロセッサ９０３、及びメモリ９０４はバス９０５を使用することにより接続される。プロセッサ９０３はメモリ９０４内のコードを実行するように構成される。コードが実行される場合に、プロセッサ９０３は上記の実施形態における端末により実行される方法を実現する。
【００９９】
図７に示される端末７００、図８に示されるネットワーク・デバイス８００、又は図９に示されるシステム・チップ９００は、上記の実施形態におけるネットワーク・デバイスにより実現される様々なプロセッサを実現することが可能である。繰り返しを避けるため、詳細はここで再び説明されない。
【０１００】
本明細書における用語「及び／又は」は、関連するオブジェクトを説明するための関連関係のみを記述し、及び３つの関係が存在し得ることを表現することが理解されるべきである。例えば、Ａ及び／又はＢは、以下の３つのケース：Ａのみが存在すること、Ａ及びＢ双方が存在すること、そしてＢのみが存在することを表現し得る。更に、本明細書における記号「／」は、一般に、関連するオブジェクト間における「又は」の関係を示す。
【０１０１】
上記のプロセスのシーケンス番号は本発明の実施形態における実行シーケンスを意味しないことが理解されるべきである。プロセスの実行シーケンスは、プロセスの機能及び内的なロジックに基づいて決定されるべきであり、及び本発明の実施形態の実現プロセスに関する如何なる限定としても解釈されるべきでない。
【０１０２】
当業者は、本明細書で開示される実施形態に関連して説明される具体例におけるユニット及びアルゴリズム・ステップは、電子ハードウェア、又はコンピュータ・ソフトウェアと電子ハードウェアとの組み合わせにより実現され得ることに気付き得る。機能がハードウェア又はソフトウェアにより実現されるか否かは特定のアプリケーション及び技術的ソリューションの設計制約条件に依存する。当業者は各々の特定のアプリケーションに対して説明済みの機能を実装するために様々な方法を使用してよいが、実装が本発明の範囲を超えるように考えられるべきではない。
【０１０３】
便宜及び説明の簡潔さの目的により、上記のシステム、装置、及びユニットの詳細な作業プロセスについては、上記の方法の実施形態における対応するプロセスを参照することは、当業者により明確に理解され得る。詳細はここで再び説明されない。
【０１０４】
本願で提供される幾つかの実施形態では、開示されるシステム、装置、及び方法は他の方式で実現されてもよいことが理解されるべきである。例えば、説明される装置の実施形態は単なる具体例である。例えば、ユニットの区分は単なる論理的機能的な区分であり、そして実際の実装では他の区分であってもよい。例えば、複数のユニット又はコンポーネントは結合され又は他のシステムに統合されてもよく、又は幾つかの特徴は無視され又は実行されなくてもよい。更に、示され又は議論される相互カップリング又は直接的なカップリング又は通信コネクションは幾つかのインターフェースを介して実現されてもよい。装置又はユニット間の間接的なカップリング又は通信コネクションは、電子的、機械的又はその他の形式で実現されてもよい。
【０１０５】
別個のパーツとして説明されるユニットは物理的に別々であってもよいし又はそうでなくてもよく、及びユニットとして示されるパーツは物理的なユニットであってもよいし又はそうでなくてもよく、一箇所に配置されてもよいし、又は複数のネットワーク・ユニットに分散されてもよい。ユニットの全部又は一部は、実施形態のソリューションの課題を達成するように実際の要求に基づいて選択されてよい。
【０１０６】
更に、本発明の実施形態における機能ユニットは、１つの処理ユニットに統合されてもよいし、又はユニットの各々が物理的に単独で存在してもよいし、又は２つ以上のユニットが１つのユニットに統合される。
【０１０７】
機能はソフトウェア機能ユニットの形式で実現され、そして独立した製品として販売又は使用される場合、機能はコンピュータ読み取り可能なストレージ媒体に保存されてもよい。そのような理解に基づいて、本発明の技術的ソリューションは本質的に、又は従来技術に対して貢献する部分は、又は技術的ソリューションの一部は、ソフトウェア製品の形式で実現されてもよい。コンピュータ・ソフトウェア製品は、ストレージ媒体に保存され、及び本発明の実施形態で説明される方法のステップの全部又は一部を実行するようにコンピュータ・デバイス（パーソナル・コンピュータ、サーバー、ネットワーク・デバイス等であってもよい）を命令する幾つかの命令を含む。上記のストレージ媒体は：ＵＳＢフラッシュ・ドライブ、リムーバブル・ハード・ディスク、リード・オンリ・メモリＲＯＭ、ランダム・アクセス・メモリＲＡＭ、磁気ディスク、又は光ディスク等の、プログラム・コードを保存することが可能な任意の媒体を含む。
【０１０８】
上記の説明は本発明の単なる特定の実装に過ぎず、本発明の保護範囲を限定するようには意図されていない。本発明で開示される技術的範囲内で当業者により容易に理解される任意の変形又は置換は、本発明の保護範囲内に属することになる。従って、本発明の保護範囲は特許請求の範囲の保護範囲に左右されることになる。
【図１】
2020502885.tif 000003
【図２】
2020502885.tif 000004
【図３】
2020502885.tif 000005
【図４】
2020502885.tif 000006
【図５】
2020502885.tif 000007
【図６】
2020502885.tif 000008
【図７】
2020502885.tif 000009
【図８】
2020502885.tif 000010
【図９】
2020502885.tif 000011
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
グラント・フリー伝送方法であって、前記方法は：  グラント・フリー伝送に使用されるＰ個の専用伝送リソースに関する情報を、ネットワーク・デバイスにより端末へ送信するステップであって、Ｐは正の整数であり及びＰ≧２である、ステップ；及び  前記専用伝送リソースを前記ネットワーク・デバイスにより検出し、そしてグラント・フリー伝送が検出された場合、前記専用伝送リソースに対応する伝送パラメータ・セットに基づいてデータを検出するステップ；  を含む方法。
【請求項２】
前記専用伝送リソースは、以下のもの：パイロット、コードブック、シグネチャ・シーケンス、及び時間−周波数リソースのうちの少なくとも１つを含む、請求項１に記載の方法。
【請求項３】
前記伝送パラメータ・セットは、以下のパラメータ：変調及び符号化方式、電力制御パラメータ、冗長バージョン、及びトランスポート・ブロック・サイズのうちの少なくとも１つを含む、請求項１又は２に記載の方法。
【請求項４】
前記Ｐ個の専用伝送リソースはＭ個の専用伝送リソースから選択され、Ｍは正の整数であり及びＭ≧Ｐである、請求項１−３のうちの何れか一項に記載の方法。
【請求項５】
端末であって：  グラント・フリー伝送に使用されるＰ個の専用伝送リソースに関するものであり及びネットワーク・デバイスにより送信される情報を受信するように構成される受信ユニットであって、Ｐは正の整数であり及びＰ≧２である、受信ユニット；  適応伝送リソースと前記適応伝送リソースに対応する伝送パラメータ・セットとを決定するように構成される処理ユニット；及び  前記適応伝送リソースと前記伝送パラメータ・セットとに基づいて、パイロットとデータとを前記ネットワーク・デバイスへ送信するように構成される送信ユニット；  を含む端末。
【請求項６】
前記専用伝送リソースは、以下のもの：パイロット、コードブック、シグネチャ・シーケンス、及び時間−周波数リソースのうちの少なくとも１つを含む、請求項５に記載の端末。
【請求項７】
前記伝送パラメータ・セットは、以下のパラメータ：変調及び符号化方式、電力制御パラメータ、冗長バージョン、及びトランスポート・ブロック・サイズのうちの少なくとも１つを含む、請求項５又は６に記載の端末。
【請求項８】
前記処理ユニットは、前記Ｐ個の専用伝送リソースに対応するＰ個の伝送パラメータ・セットの中で最も合致する伝送パラメータ・セットに対応する専用伝送リソースを、チャネル状態及びＱｏＳ要求に基づいて、前記適応伝送リソースとして選択するように具体的に構成される、請求項５−７のうち何れか一項に記載の端末。
【請求項９】
ネットワーク・デバイスであって：  グラント・フリー伝送に使用されるＰ個の専用伝送リソースに関する情報を端末へ送信するように構成される送信ユニットであって、Ｐは正の整数であり及びＰ≧２である、送信ユニット；  グラント・フリー伝送のデータとグラント・フリー伝送リソースにおける前記データのパイロットとを受信するように構成される受信ユニット；及び  前記専用伝送リソースを検出し、そしてグラント・フリー伝送が検出された場合、前記専用伝送リソースに対応する伝送パラメータ・セットに基づいて前記データを検出するように構成される処理ユニット；  を含むネットワーク・デバイス。
【請求項１０】
前記専用伝送リソースは、以下のもの：パイロット、コードブック、シグネチャ・シーケンス、及び時間−周波数リソースのうちの少なくとも１つを含む、請求項９に記載のネットワーク・デバイス。
【請求項１１】
前記伝送パラメータ・セットは、以下のパラメータ：変調及び符号化方式、電力制御パラメータ、冗長バージョン、及びトランスポート・ブロック・サイズのうちの少なくとも１つを含む、請求項９又は１０に記載のネットワーク・デバイス。
【請求項１２】
前記処理ユニットは、Ｍ個の専用伝送リソースから前記Ｐ個の専用伝送リソースを選択するように更に構成され、Ｍは正の整数であり及びＭ≧Ｐである、請求項９−１１のうちの何れか一項に記載のネットワーク・デバイス。
【請求項１３】
読み取り可能ストレージ媒体とコンピュータ・プログラムとを含むストレージ媒体であって、前記コンピュータ・プログラムは、請求項１−４のうち何れか一項に記載の前記グラント・フリー伝送方法をネットワーク・デバイスに実行させるように、ネットワーク・デバイスにより実行される、ストレージ媒体。
【手続補正２】
【補正対象書類名】明細書
【補正対象項目名】全文
【補正方法】変更
【補正の内容】
【発明の詳細な説明】
【技術分野】
【０００１】  本発明は通信分野に関連し、そして特に通信分野におけるグラント・フリー伝送方法、端末、及びネットワーク・デバイスに関連する。
【背景技術】
【０００２】  将来の５Ｇ通信システムは幅広い多様な端末をサポートする必要がある。端末のエネルギ消費を減らすためには、端末をパワー・セービング状態に維持し、及び信号の相互作用プロセスを減らすことは、不可避の選択である。従って、５Ｇ通信システムでは、経済又は省エネルギー・オペレーション（ＥＣＯ）状態又は無線リソース制御（ＲＲＣ）インアクティブ状態（ＲＲＣインアクティブ状態）とここで言及され得る新たな状態が導入される。端末がＥＣＯ状態にある場合、送信されるべきデータが無ければ端末はネットワークと相互作用しない。従って、端末はネットワークに対するエア・インターフェース・コネクションを維持せず、またアップリンク同期状態にもない。導入されるＥＣＯ状態はグラント・フリー伝送に適用可能である。【０００３】  グラント・フリー伝送は、将来的なネットワークにおける様々なサービス、例えば、マシン・タイプ通信（「ＭＴＣ」）サービス又は超信頼性及び低遅延通信（ＵＲＬＬＣ）サービスを解決し、低遅延及び高信頼性サービス伝送要求を満足することが可能である。グラント・フリー伝送はアップリンク・データ伝送に特有であってもよい。グラント・フリー伝送はまた、自発的アクセス、自発的多重アクセス、又は競合ベース多元接続等の他の名称で言及されてもよい。【０００４】  グラント・フリー伝送は、ネットワークが、端末のデータ伝送のためにリアル・タイム・リソース・スケジューリングを実行する必要がないこと、及びネットワーク・デバイスが、グラント・フリー伝送に使用される時間−周波数リソース及びパイロット・リソースをブロードキャストすることを意味する。複数の端末が同時にデータを送信する必要がある場合、端末は、通常、競合ベース方式でパイロットをランダムに選択し、そしてデータを送信するために予め設定されているリソースをランダムに選択する。換言すれば、複数の端末が同じリソースで競合ベース伝送を実行し、そしてパイロット衝突が生じるかもしれず、伝送の正確性に影響を及ぼし且つより多くの遅延を引き起こす。従って、グラント・フリー伝送モードでは、信頼性のある伝送を必要とするレイテンシに敏感でないサービスは、比較的処理することが容易である。しかしながら、ビークル・ツー・ビークル（Ｖ２Ｖ）通信等のＵＲＬＬＣサービスに関し、このケースで衝突が生じると、伝送は非信頼性であるかもしれず、再送が引き起こされるかもしれず、そして伝送遅延が過剰に大きくなるかもしれず、そして要求を満足することはできない。これは深刻な結末を招くかもしれない。従って、信頼性のある伝送を保証し、及びグラント・フリー伝送でリソース割当を省略することによりもたらされる短い遅延の恩恵が使用されることを保証するために、ＵＲＬＬＣ要求を伴う端末は、通常、トレード・オフ方式を使用する。具体的には、グラント・フリー伝送の特徴に従って、特有の時間−周波数リソースは何ら端末に割り当てられないが、ＥＣＯ状態が確立され及び設定される場合、端末に専用のパイロットが端末に割り当てられる。このようにして、アップリンク伝送を実行する必要がある場合、端末は専用パイロットと対応するデータとを送信する。いったんネットワーク・デバイスが専用パイロットを検出すると、ネットワーク・デバイスは、データが端末により送信されていることを明確に知り、これによりパイロットの衝突を効果的に回避する。【０００５】  更に、リソースはグラント・フリー伝送においてプリセットされる。従って、検出の複雑性を減らすため、グラント・フリー伝送を実行する必要がある場合、端末は、通常、プリセットされた固定の伝送パラメータ、即ち、固定された変調及び符号化方式（ＭＣＳ）を使用する。端末がＭＣＳを調節する必要がある場合、端末は、アップリンク伝送中に使用されるＭＣＳをネットワーク・デバイスに通知するために付加的な制御情報を搬送する必要があり、貴重なアップリンク・エア・インターフェース・リソースを消費する。
【発明の概要】
【０００６】  この観点において、本発明の実施形態は、端末が付加的な制御情報を送信すること無く使用される伝送パラメータをネットワーク・デバイスに通知することができるように、グラント・フリー伝送方法、端末、及びネットワーク・デバイスを提供し、これにより、グラント・フリー伝送のアップリンク・エア・インターフェース・リソースを節約する。
【０００７】  第１態様によれば、グラント・フリー伝送方法が提供され、方法は：グラント・フリー伝送に使用されるＰ個の専用伝送リソースに関するものであり及びネットワーク・デバイスにより送信される情報を、端末により受信するステップであって、Ｐは正の整数であり及びＰ≧２である、ステップ；Ｐ個の専用伝送リソースから１つの適応伝送リソースを端末により選択するステップ；及び適応伝送リソースと適応伝送リソースに対応する伝送パラメータ・セットとを使用することによりグラント・フリー伝送を、端末により実行するステップを含む。この方法を使用することにより、端末は、グラント・フリー伝送を実行する前に複数の専用伝送リソースを割り当てられることが可能であり、複数の専用伝送リソースは異なる伝送パラメータ・セットに対応し、そのため端末は専用制御チャネルを送信すること無く伝送パラメータを調節し、そして端末のＩＤを送信することを必要とせず、これにより貴重なアップリンク・エア・インターフェース・リソースを効果的に節約する。
【０００８】  オプションで、第１態様の実装において、専用伝送リソースは、以下のもの：パイロット、コードブック、シグネチャ・シーケンス、及び時間−周波数リソースのうちの少なくとも１つを含む。
【０００９】  オプションで、第１態様の実装において、伝送パラメータ・セットは、以下のパラメータ：変調及び符号化方式、電力制御パラメータ、冗長バージョン、及びトランスポート・ブロック・サイズのうちの少なくとも１つを含む。
【００１０】  オプションで、第１態様の実装において、専用伝送リソースは、伝送パラメータ・セットと１対１対応にある。
【００１１】  オプションで、第１態様の実装において、Ｐ個の専用伝送リソースから１つの適応伝送リソースを端末により選択するステップは、具体的には：Ｐ個の専用伝送リソースに対応するＰ個の伝送パラメータ・セットの中で最も合致する伝送パラメータ・セットに対応する専用伝送リソースを、チャネル状態及びＱｏＳ要求に基づいて、適応伝送リソースとして選択するステップである。
【００１２】  オプションで、第１態様の実装において、端末は、ネットワーク・デバイスにより送信される共通伝送リソース情報を更に受信する。
【００１３】  第２態様によれば、グラント・フリー伝送方法が提供され、方法は：グラント・フリー伝送に使用されるＰ個の専用伝送リソースに関する情報を、ネットワーク・デバイスにより端末へ送信するステップであって、Ｐは正の整数であり及びＰ≧２である、ステップ；及び専用伝送リソースをネットワーク・デバイスにより検出し、そしてグラント・フリー伝送が検出された場合、専用伝送リソースに対応する伝送パラメータ・セットに基づいてデータを検出するステップを含む。この方式では、受信中に、ネットワーク・デバイスは、グラント・フリー伝送を実行する端末を暗黙に決定することが可能であり、及び明示的な端末ＩＤを必要とせず、これによりアップリンク・エア・インターフェース・リソースを節約する。
【００１４】  オプションで、第２態様の実装において、専用伝送リソースは、以下のもの：パイロット、コードブック、シグネチャ・シーケンス、及び時間−周波数リソースのうちの少なくとも１つを含む。
【００１５】  オプションで、第２態様の実装において、伝送パラメータ・セットは、以下のパラメータ：変調及び符号化方式、電力制御パラメータ、冗長バージョン、及びトランスポート・ブロック・サイズのうちの少なくとも１つを含む。
【００１６】  オプションで、第２態様の実装において、専用伝送リソースは、伝送パラメータ・セットと１対１対応にある。
【００１７】  オプションで、第２態様の実装において、Ｐ個の専用伝送リソースはＭ個の専用伝送リソースから選択され、Ｍは正の整数であり及びＭ≧Ｐである。
【００１８】  オプションで、第２態様の実装において、ネットワーク・デバイスは共通伝送リソース情報を更に送信する。
【００１９】  第３態様によれば、端末が提供され、端末デバイスは、第１態様及び様々な実装に従う上記のグラント・フリー伝送方法において端末デバイスにより実行されるプロセスを実行するように構成されてよい。端末は：グラント・フリー伝送に使用されるＰ個の専用伝送リソースに関するものであり及びネットワーク・デバイスにより送信される情報を受信するように構成される受信ユニットであって、Ｐは正の整数であり及びＰ≧２である、受信ユニット；適応伝送リソースと適応伝送リソースに対応する伝送パラメータ・セットとを決定するように構成される処理ユニット；及び適応伝送リソースと伝送パラメータ・セットとに基づいて、パイロットとデータとをネットワーク・デバイスへ送信するように構成される送信ユニットを含む。
【００２０】  第４態様によれば、ネットワーク・デバイスが提供され、ネットワーク・デバイスは、第２態様及び様々な実装に従う上記のグラント・フリー伝送方法においてネットワーク・デバイスにより実行されるプロセスを実行するように構成されてよい。ネットワーク・デバイスは、グラント・フリー伝送に使用されるＰ個の専用伝送リソースに関する情報を端末へ送信するように構成される送信ユニットであって、Ｐは正の整数であり及びＰ≧２である、送信ユニット；グラント・フリー伝送のデータとグラント・フリー伝送リソースにおけるデータのパイロットとを受信するように構成される受信ユニット；及び専用伝送リソースを検出し、そしてグラント・フリー伝送が検出された場合、専用伝送リソースに対応する伝送パラメータ・セットに基づいてデータを検出するように構成される処理ユニットを含む。
【００２１】  第５態様によれば、端末デバイスが提供され、端末デバイスは、第１態様及び様々な実装に従う上記のグラント・フリー伝送方法において端末デバイスにより実行されるプロセスを実行するように構成されてよい。端末デバイスは、プロセッサ、トランスミッタ、及びレシーバを含む。レシーバは、グラント・フリー伝送に使用されるＰ個の専用伝送リソースに関するものであり及びネットワーク・デバイスにより送信される情報を受信するように構成され、Ｐは正の整数であり及びＰ≧２である。プロセッサは、適応伝送リソースと適応伝送リソースに対応する伝送パラメータ・セットとを決定するように構成される。トランスミッタは、適応伝送リソースと伝送パラメータ・セットとに基づいて、パイロットとデータとをネットワーク・デバイスへ送信するように構成される。
【００２２】  第６態様によれば、ネットワーク・デバイスが提供され、ネットワーク・デバイスは、第２態様及び様々な実装に従う上記のグラント・フリー伝送方法においてネットワーク・デバイスにより実行されるプロセスを実行するように構成されてよい。ネットワーク・デバイスは、プロセッサ、トランスミッタ、及びレシーバを含む。トランスミッタは、グラント・フリー伝送に使用されるＰ個の専用伝送リソースに関する情報を端末へ送信するように構成され、Ｐは正の整数であり及びＰ≧２である。レシーバは、グラント・フリー伝送のデータとグラント・フリー伝送リソースにおけるデータのパイロットとを受信するように構成される。プロセッサは、専用伝送リソースを検出し、そしてグラント・フリー伝送が検出された場合、専用伝送リソースに対応する伝送パラメータ・セットに基づいてデータを検出するように構成される。
【００２３】  第７態様によれば、コンピュータ読み取り可能なストレージ媒体が提供され、コンピュータ読み取り可能なストレージ媒体はプログラムを保存し、そしてプログラムは、第１態様又はその様々な実装のうちの任意の１つに従って上記のグラント・フリー伝送方法を、端末デバイスが実行できるようにする。
【００２４】  第８態様によれば、コンピュータ読み取り可能なストレージ媒体が提供され、コンピュータ読み取り可能なストレージ媒体はプログラムを保存し、そしてプログラムは、第２態様又はその様々な実装のうちの任意の１つに従って上記のグラント・フリー伝送方法を、ネットワーク・デバイスが実行できるようにする。
【図面の簡単な説明】
【００２５】  本発明の実施形態における技術的ソリューションをより明確に説明するために、以下、本発明の実施形態を説明するために必要とされる添付図面を簡単に説明する。明らかに、以下の説明における添付図面は、単に本発明の幾つかの実施形態を示しているに過ぎず、そして当業者は創作的労力無しにこれらの添付図面から他の図面を導出し得る。【００２６】
【図１】図１は本発明の実施形態による通信システムの概略的なアーキテクチャ図である。
【００２７】
【図２】図２は従来のグラント・フリー伝送のフローチャートである。
【００２８】
【図３】図３は本発明の実施形態によるグラント・フリー伝送のフローチャートである。
【００２９】
【図４】図４は本発明の実施形態による端末の概略的な構造図である。
【００３０】
【図５】図５は本発明の実施形態による端末の概略的な構造図である。
【００３１】
【図６】図６は本発明の実施形態による端末のシステム・チップの概略的な構造図である。
【００３２】
【図７】図７は本発明の実施形態によるネットワーク・デバイスの概略的な構造図である。
【００３３】
【図８】図８は本発明の実施形態によるネットワーク・デバイスの概略的な構造図である。
【００３４】
【図９】図９は本発明の実施形態によるネットワーク・デバイスのシステム・チップの概略的な構造図である。
【発明を実施するための形態】
【００３５】  以下、本発明の実施形態における添付図面に関連して本発明の実施形態における技術的ソリューションを明確に及び完全に説明する。明らかに、説明される実施形態は本発明の実施形態の全部ではなく幾つかである。創作的労力無しに本発明の実施形態に基づいて当業者により得られる他の全ての実施形態は、本発明の保護範囲内に属する。
【００３６】  本明細書で使用される「コンポーネント」、「モジュール」、及び「システム」等の用語は、コンピュータ関連エンティティ、ハードウェア、ファームウェア、ハードウェアとソフトウェアとの組み合わせ、ソフトウェア、又は実行されるソフトウェアを示すように使用される。例えば、コンポーネントは、プロセッサで動作するプロセス、プロセッサ、オブジェクト、実行可能ファイル、実行のスレッド、プログラム、及び／又はコンピュータであってもよいが、これらに限定されない。図面に示されるように、コンピューティング・デバイスで動作するコンピューティング・デバイス及びアプリケーション双方がコンポーネントであってもよい。１つ以上のコンポーネントがプロセス及び／又は実行のスレッド内に存在してもよく、そしてコンポーネントは１つのコンピュータに位置してもよく、及び／又は２つ以上のコンポーネントの間に分散されてもよい。更に、これらのコンポーネントは、様々なデータ構造を保存する様々なコンピュータ読み取り可能な媒体から実行されてもよい。コンポーネントは、ローカル及び／又はリモートのプロセスを使用することにより、及び例えば１つ以上のデータ・パケット（例えば、ローカル・システム、分散システムにおける他のコンポーネントと相互作用する、及び／又は信号を利用することにより他のシステムと相互作用するインターネット等のネットワークを介して相互作用するコンポーネントからのデータ）を有する信号に基づいて通信してもよい。
【００３７】  本発明の実施形態の技術的ソリューションは、グローバル・システム・フォー・モバイル・コミュニケーションズ（ＧＳＭ）システム、符号分割多元接続（ＣＤＭＡ）システム、ワイドバンド符号分割多元接続（ＷＣＤＭＡ）システム、ロング・ターム・エボリューション（ＬＴＥ）システム、ＬＴＥ周波数分割複信（ＦＤＤ）システム、ＬＴＥ時分割複信（ＴＤＤ）システム、ユニバーサル・モバイル・テレコミュニケーションズ・システム（ＵＭＴＳ）、及び将来の５Ｇ通信システム等の様々な通信システムに適用されてよいことが理解されるべきである。
【００３８】  本発明は実施形態に関連して端末を描写する。端末はまた、ユーザー装置（ＵＥ）、アクセス端末、加入者ユニット、加入者局、移動局、移動局、リモート局、リモート端末、モバイル・デバイス、ユーザー端末、端末、ワイヤレス通信デバイス、ユーザー・エージェント、又はユーザー装置であってもよい。アクセス端末は、セルラー電話機、コードレス電話機、セッション・イニシエーション・プロトコル（Ｓｅｓｓｉｏｎ  Ｉｎｉｔｉａｔｉｏｎ  Ｐｒｏｔｏｃｏｌ，略称「ＳＩＰ」）電話機、ワイヤレス・ローカル・ループ（Ｗｉｒｅｌｅｓｓ  Ｌｏｃａｌ  Ｌｏｏｐ，ＷＬＬ）局、パーソナル・ディジタル・アシスタント（Ｐｅｒｓｏｎａｌ  Ｄｉｇｉｔａｌ  Ａｓｓｉｓｔａｎｔ，略称「ＰＤＡ」）、ワイヤレス通信機能を有する携帯デバイス、通信デバイス又は無線モデムに接続される他の処理デバイス、車載デバイス、ウェアラブル・デバイス、将来の５Ｇネットワークにおける端末、将来のエボルブドＰＬＭＮネットワークにおける端末等であってもよい。
【００３９】  本発明は実施形態に関連してネットワーク・デバイスを描写する。ネットワーク・デバイスは端末と通信するように構成されるデバイスであってもよい。例えば、ネットワーク・デバイスは、ＧＳＭシステム又はＣＤＭＡシステムにおけるベース・トランシーバ局（ＢＴＳ）、又はＷＣＤＭＡシステムにおけるノードＢ（ＮＢ）、又はＬＴＥシステムにおけるエボルブド・ノードＢ（ｅＮＢ又はｅＮｏｄｅＢ）であってもよく；又はネットワーク・デバイスは、中継局、アクセス・ポイント、車載デバイス、送信ポイント、ウェアラブル・デバイス、及び将来の５Ｇネットワークにおけるネットワーク・サイド・デバイス、又は将来のエボルブドＰＬＭＮネットワークにおけるネットワーク・デバイス、又はネットワーク機能を請け負う任意のデバイスであってもよい。
【００４０】  図１は本発明の実施形態による通信システムの概略的なアーキテクチャ図である。図１に示されるように、通信システムは、ネットワーク・デバイス１０、端末２１、端末２２、端末２３、及び端末２４を含んでもよく、これらは無線で接続される。端末２１、端末２２、端末２３、及び端末２４はネットワーク・デバイス１０を介してワイヤレス通信システム全体にアクセスする。
【００４１】  本発明のこの実施形態におけるネットワークはパブリック・ランド・モバイル・ネットワーク（ＰＬＭＮ）、又はデバイス・ツー・デバイス（Ｄ２Ｄ）ネットワーク、又はマシン・ツー・マシン／マン（Ｍ２Ｍ）ネットワーク、又は他のネットワークであってもよい。図１は単なる具体例の簡略化された概略図であるに過ぎない。ネットワークは、図１に描かれていない他のネットワーク・デバイス及び他の端末を更に含んでもよい。
【００４２】  本発明のこの実施形態で説明されるデータは、サービス・データ又はシグナリング・データを含んでもよい。グラント・フリー伝送のための伝送リソースは、以下のリソース：無線フレーム、サブフレーム、又はシンボル等の時間ドメイン・リソース；サブキャリア又はリソース・ブロック等の周波数ドメイン・リソース；送信アンテナ又はビーム等の空間ドメイン・リソース；スパース符号多元接続（ＳＣＭＡ）コードブック・グループ、低密度シグネチャ（ＬＤＳ）グループ、又はＣＤＭＡコード・グループ等の符号ドメイン・リソース；アップリンク・パイロット・リソース；インターリービング・リソース；及びチャネル符号化方式のうちの１つ以上の組み合わせを含んでもよいが、これらに限定されない。
【００４３】  上記の伝送リソースは以下の制御機構に基づいて実行される伝送のために使用されてよく、それらは：アップリンク電力制御パラメータにより表現される、例えばアップリンク電力上限制御等のアップリンク電力制御；トランスポート・ブロック・サイズ及びＭＣＳ等のパラメータにより表現される、例えばトランスポート・ブロック・サイズ、符号化率、及び変調次数の設定等の変調及び符号化方式ＭＣＳ設定；及び、例えばハイブリッド・オートマチック・リピート・リクエスト（ＨＡＲＱ）機構又はＲＶバージョン等のパラメータにより表現される冗長バージョン（ＲＶ）制御等の再送機構を含むが、これらに限定されない。
【００４４】  図２は既存の従来のグラント・フリー伝送プロシジャを示す一方、図３は本願における改善されたグラント・フリー伝送プロシジャを示す。本願に関連する部分のみが示されていること、及びＥＣＯ状態を確立するために必要とされるシグナリング・インターワーキング等のプロシジャは示されていないことに留意すべきである。
【００４５】  図２に示されるように、ステップ２１０において、ネットワーク・デバイスは端末に対するＩＤ（ｉｄｅｎｔｉｔｙ）を設定する。ＩＤはＬＴＥシステムにおけるセル無線ネットワーク一時識別子（Ｃ−ＲＮＴＩ）に類似していてもよく、又は例えばマルチキャスト・ブロードキャスト通信におけるグループ番号等の、ネットワーク・デバイスのサービス範囲内にある異なる端末の間で区別する他の識別方式であってもよい。プロセスは、通常、端末がネットワーク・デバイスにアクセスするプロセスで生じ、又はグラント・フリー伝送が実行される必要があることを決定するために端末及びネットワーク・デバイスがケーパビリティ・ネゴシエーションを実行する場合に生じてもよい。
【００４６】  ステップ２２０：ネットワーク・デバイスが、グラント・フリー伝送に使用される伝送リソース情報を端末に通知する。一般に、ネットワーク・デバイスは、ブロードキャスト方式で情報を、応対される端末に通知する。
【００４７】  ステップ２３０：グラント・フリー伝送を開始する前に、端末は、グラント・フリー伝送に使用される受信した伝送リソース情報に対応する伝送リソースから、パイロットと時間−周波数リソースとを選択する。
【００４８】  ステップ２４０：送信されるべきデータ及びＩＤが、グラント・フリー伝送に使用されるプリセットＭＣＳに基づいて符号化及び変調された後、ステップ２３０で決定されたグラント・フリー伝送リソースにおいて、パイロット、ＩＤ、及びデータを含むがこれらに限定されない内容を送信する。一般に、ＩＤ及びデータは符号化のために組み合わせられる。
【００４９】  ステップ２５０：ネットワーク・デバイスがグラント・フリー伝送リソースにおけるパイロットを先ず検出し、次にパイロットに基づいてチャネルを検出し、そして次にＩＤ及びデータを検出する。
【００５０】  上述したように、グラント・フリー伝送のための時間は固定されておらず、そしてそれ故にＭＣＳはリアル・タイムで決定されることは不可能である。従ってソリューションは固定ＭＣＳを使用することである。しかしながら、これは以下の問題を引き起こす：たとえ現在のチャネル状態が非常に良かったとしても、端末は高次のＭＣＳを使用することはできず、そしてそれ故にリソースは節約され得ない。逆に、たとえ現在のチャネル状態が非常に悪かったとしても、端末は信頼性を向上させるために低次のＭＣＳを使用することはできず、そしてそれ故に正確な伝送を実行できず、非所望の再送を引き起こす。別のソリューションは端末がリアル・タイムＭＣＳを使用することである。しかしながら、このソリューションでは、端末はＭＣＳを指定するために付加的な制御情報を搬送するように要求される。このケースでは、貴重なアップリンク・エア・インターフェース・リソースが浪費され、及びグラント・フリー伝送の検出中に、ネットワーク・デバイスは：パイロット、制御情報、及びデータの３つのパートを検出する必要があり、非所望の遅延を生じさせる。更に、制御情報の検出を保証する仕方もまた問題である。
【００５１】  この問題を解決するために、本願は少なくとも２つの専用伝送リソースが各端末に設定されることを提案し（一般性を失うこと無く、２つのパイロットが以下の全ての説明において具体例として使用される）、それにより、付加的な制御シグナリングのアップリンク伝送を引き起こすこと無しに、ＭＣＳはグラント・フリー伝送で適応的に調節され得るようになる。２つのパイロットは端末に専用とされ、他の端末によって再利用され得ず、そしてそれ故に実際に端末ＩＤ機能もまた請け負う。２つのパイロットは異なるＭＣＳに対応する。例えば、端末Ａのために設定されるパイロット１はＱＰＳＫ変調方式と１／３の符号化率とが使用されることを示し、及びパイロット２は１６ＱＡＭ変調方式と１／２の符号化率とが使用されることを示し；及び端末Ｂのために設定されるパイロット３はＱＰＳＫ変調方式と１／３の符号化率とが使用されることを示し、及びパイロット４は１６ＱＡＭ変調方式と１／２の符号化率とが使用されることを示す。換言すれば、そのような設定方式において、グラント・フリー伝送は２つの異なるＭＣＳをサポートすることができる。具体的なプロセスは図３に示される。
【００５２】  ステップ３１０：ネットワーク・デバイスが端末のために２つの専用パイロットを設定し、２つのパイロットは異なるＭＣＳに対応する。２つのパイロットは端末に専用とされ、そして端末がグラント・フリー伝送モードを出るまで解放されない。２つの専用パイロットを受信した後、端末は、パイロットとＭＣＳとの間の対応に基づいて２つの利用可能なＭＣＳを取得する。２つの専用パイロットはまた、ある意味でＩＤ機能を請け負い、そしてそれ故に２つのＩＤが端末のために設定されたと考えられてさえよい。
【００５３】  ステップ３２０：ネットワーク・デバイスが、グラント・フリー伝送に使用される共通伝送リソースに関する情報を端末に通知する。一般に、ネットワーク・デバイスは、ブロードキャスト方式で情報を、応対される端末に通知する。ここで伝送リソースは、通常、端末によりランダムに選択される。ここで共通伝送リソースは、グラント・フリー伝送を実行する全ての端末により占められることが可能な伝送リソースである。
【００５４】  ステップ３３０：グラント・フリー伝送を開始する前に、端末は、現在のチャネル状態（パス・ロス、スモール・スケール・フェージング、及び干渉状態等の情報を含む）と、ＱｏＳ（英語フルネーム：Ｑｕａｌｉｔｙ  ｏｆ  Ｓｅｒｖｉｃｅ，チャイニーズ・フルネーム：サービスの品質）と、グラント・フリー伝送に使用されるリソースに関する受信した情報に対応する共通伝送リソースとに基づいて、２つのＭＣＳから、最も合致するＭＣＳを選択し、そして選択されたＭＣＳに基づいて、ＭＣＳに対応するパイロットを決定する。
【００５５】  ステップ３４０：選択されたＭＣＳに基づいて符号化及び変調された後に、伝送されるべきデータは、選択された時間−周波数リソースにおいてネットワーク・デバイスへ、選択されたパイロットとともに伝送される。パイロットは端末に結び付けられるので、このソリューションでは、ＩＤ情報が、各々の伝送中に個々に伝送される必要はなく、これによりアップリンク・エア・インターフェース・リソースを効果的に節約する。
【００５６】  ステップ３５０：ネットワーク・デバイスはグラント・フリー伝送リソースにおけるパイロットを先ず盲目的に検出し、そしてパイロットが検出された場合、それはグラント・フリー伝送が存在することを示し、そしてネットワーク・デバイスは、グラント・フリー伝送を実行する端末を決定し、パイロットとＭＣＳとの間の対応に基づいて受信されたデータのＭＣＳを決定し、そして次にデータを検出してもよい。
【００５７】  上記のフローチャートは単なる具体例であり、そして実際には方法は以下の実装を含んでよいが、それらに限定されない。例えば：
【００５８】  方法１：２つの異なるＭＣＳに加えて、２つのパイロットは２つの異なる伝送パラメータ・セットに対応してもよい。伝送パラメータ・セットは以下のパラメータ：ＭＣＳ、アップリンク電力制御パラメータ、ＲＶバージョン、及び／又はトランスポート・ブロック・サイズを含むが、これらに限定されない。いったん端末がアップリンク伝送に使用されるパイロットを決定すると、それはパイロットに対応する伝送パラメータが選択されたことを意味する。異なるパラメータ・セットは少なくとも１つの異なるパラメータを有する。もちろん、伝送パラメータ・セットは、伝送に使用される、より多くのパラメータを更に含んでもよい。
【００５９】  方法２：異なる端末の異なるサービス・タイプに基づいて異なる設定が実行される。上記の具体例では、端末Ｂに割り当てられるパイロット３はＱＰＳＫ変調と１／３の符号化率とが使用されることを示し、及びパイロット４はＱＰＳＫ変調と１／２の符号化率とが使用されることを示す。このように、各端末は依然として２つのみのＭＣＳ（又はアップリンク電力制御パラメータ、又はＲＶバージョン、又はトランスポート・ブロック・サイズ、等々。ここでＭＣＳは単なる具体例に過ぎない）をサポートするが、グラント・フリー伝送全体は３つのＭＣＳをサポートする。類推すると、Ｎ個のパイロットがＭ個のグループに分けられてもよく、各グループは１つのＭＣＳに対応し、そして合計Ｍ個のＭＣＳがサポートされる。このようにして、ＱｏＳに基づいて異なるパイロット・グループからＰ個のグループのみが選択されることを必要とし、そして１つのパイロットがＰ個のグループの各々から選択され、そして端末に設定される。このようにして、各々の端末はＰ個のＭＣＳをサポートすることができ（この具体例では、Ｐ＝２）、Ｐ、Ｍ及びＮの各々は正の整数であり、及び２≦Ｐ≦Ｍ≦Ｎである。
【００６０】  方法３：この具体例では、２つのパイロットが１つの端末に固有に対応する。代替的に、ＳＣＭＡコードブック又はＣＤＭＡシーケンス、２つの異なるシグネチャ・シーケンス、又は他のタイプの異なる伝送リソース等の２つの異なる専用コードブックが、端末に割り当てられ、端末がグラント・フリー伝送を実行する場合に、異なる伝送パラメータのうちの少なくとも２つのセット（ＭＣＳ、電力制御パラメータ、ＲＶバージョン、及び／又はトランスポート・ブロック・サイズを含むが、これらに限定されない）が、利用可能であることを保証する。更に、２つの異なる伝送パラメータの各々は、ネットワーク・デバイスに対してトランスペアレントである。換言すれば、ネットワーク・デバイスによりグラント・フリー伝送検出を実行する複雑さは増加しない。同様に、代替的に、端末は、異なる伝送パラメータに対応する異なる時間−周波数リソースを割り当てられてもよい。これらの伝送リソース（パイロット、コードブック、シグネチャ・シーケンス、及び／又は時間−周波数リソース・ロケーションを含むが、これらに限定されない）が、１つの端末に個々に割り当てられることの説明及び考察をし易くするため、伝送リソースは、専用伝送リソースとして言及されてもよい。通信システム全体では、Ｍ個の専用伝送リソースが存在してもよく、及びＭ個の専用伝送リソースはＭ個の伝送パラメータ・セットと１対１対応にある。各々の伝送パラメータ・セットは、以下のパラメータ：ＭＣＳ、電力制御パラメータ、ＲＶバージョン、及び／又は専用伝送リソースのトランスポート・ブロック・サイズを含むが、これらに限定されない。ネットワーク・デバイスは、Ｐ個の専用伝送リソースをＭ個の専用伝送リソースから選択し、そしてＰ個の専用伝送リソースを端末のために設定し、Ｐ及びＭは正の整数であり及び２≦Ｐ≦Ｍである。
【００６１】  結論として、各々の専用伝送リソースが１つの伝送パラメータ・セット及び唯１つの端末に対応し、そして各々の端末がＰ個の専用伝送リソースに対応する、具体的には、Ｐ個の専用伝送リソースを割り当てられる条件で、端末は、グラント・フリー伝送を実行するために、Ｐ個の専用伝送リソースに対応するＰ個の伝送パラメータから、適切な伝送パラメータをチャネル状態及びＱｏＳに基づいて選択してもよい。それに応じてネットワーク・デバイスは専用伝送リソースに基づいてグラント・フリー伝送の存在を先ず検出する。例えば、専用伝送リソースがパイロットである場合、専用パイロットが検出されたことを条件として、それはグラント・フリー伝送が存在することを示す。別の具体例に関し、専用伝送リソースが時間−周波数リソース・ロケーションである場合、専用時間−周波数リソース・ロケーションにおいてパイロットが検出されたことを条件として、それはグラント・フリー伝送が存在することを示し、Ｐ及びＭは両方とも正の整数であり、及び２≦Ｐ≦Ｍである。次にネットワーク・デバイスは、検出された伝送リソース情報に基づいて、伝送パラメータ・セットとグラント・フリー伝送を実行する端末とを決定し、そして対応するデータを検出してもよい。ステップ３１０における専用伝送リソースの形式で、グラント・フリー伝送のための全ての伝送リソースが各端末に設定される場合、ステップ３２０は省略されてさえもよいことに留意すべきである。
【００６２】  方法４：ネットワーク・デバイスがビームフォーミング（Ｂｅａｍｆｏｒｍｉｎｇ）により複数のビームを形成することが可能であり、そしてビームは互いに独立に区別されることが可能である場合、上記の具体例及び方法１、２、及び３における伝送リソースは同時にビームで多重されてもよい。
【００６３】  方法５：２つの伝送パラメータ・セットを選択する更なる代替方法が存在する。具体的には、各々の端末は唯１つの専用パイロットを割り当てられるが、具体的な伝送中に、第１パラメータ・セット又は第２パラメータ・セットが選択されるか否かは、パイロット又はパイロットの共役（又は反転）を送信することにより示されてもよい。それに応じて、ネットワーク・デバイスは各パイロットを盲目的に検出し、パイロットが検出されない場合に、ネットワーク・デバイスはパイロットの共役（又は反転）を更に検出する必要がある。
【００６４】  上記のプロセスのシーケンス番号は本発明の実施形態における実行シーケンスを意味しないことが理解されるべきである。プロセスの実行シーケンスは、プロセスの機能及び内的なロジックに基づいて決定されるべきであり、及び本発明の実施形態の実現プロセスに関する如何なる限定としても解釈されるべきでない。更に、伝送パラメータ・セットと伝送リソースとの間の対応は、ネットワーク・デバイスと端末とにより事前に合意され、又はプロトコルにより指定されてもよいし、又は端末がネットワーク・デバイスにアクセスする場合にネットワーク・デバイスにより通知されてもよいし、又はブロードキャスト方式でネットワーク・デバイスにより通知されてもよい。通常、対応はプロトコルにより指定されることが好ましい。
【００６５】  明らかに、各々の端末は複数の専用伝送リソースを割り当てられる必要があるので、利用可能なパイロット・リソースを考慮すると、方法はよりいっそうＵＲＬＬＣサービスに利用可能であるが、それは方法が他のサービスに適用できないことを意味しない。
【００６６】  以下、図４ないし図９に関連して本発明の実施形態によるグラント・フリー伝送における端末及びネットワーク・デバイスを説明する。上記の方法の実施形態で説明された技術的特徴は、以下の装置の実施形態に適用可能である。
【００６７】  図４は本発明の実施形態による端末４００を示す。図４に示されるように、端末４００は：  グラント・フリー伝送に使用されるＰ個の専用伝送リソースに関するものであり及びネットワーク・デバイスにより送信される情報を受信するように構成される受信ユニット４０２であって、Ｐは正の整数であり及びＰ≧２である、受信ユニット；  Ｐ個の専用伝送リソースに対応するＰ個の伝送パラメータ・セットの中で最も合致する伝送パラメータ・セットに対応する専用伝送リソースを、チャネル状態及びＱｏＳ要求に基づいて、適応伝送リソースとして選択するように構成される処理ユニット４０３；及び  適応伝送リソースと伝送パラメータ・セットとに基づいて、パイロットとデータとをネットワーク・デバイスへ送信するように構成される送信ユニット４０１を含む。
【００６８】  オプションで、伝送リソースは専用伝送リソースと共通伝送リソースとを含む。
【００６９】  オプションで、専用伝送リソースに関する情報は、パイロット、コードブック、シグネチャ・シーケンス、及び／又は時間−周波数リソース・ロケーションを含むが、これらに限定されない。
【００７０】  オプションで、伝送パラメータ・セットは、ＭＣＳ、電力制御パラメータ、ＲＶバージョン、及び／又は専用伝送リソースのトランスポート・ブロック・サイズを含むが、これらに限定されない。
【００７１】  オプションで、専用伝送リソースは、伝送パラメータ・セットと１対１対応にある。
【００７２】  オプションで、受信ユニット４０２は、共通伝送リソース情報を受信するように更に構成される。
【００７３】  本発明のこの実施形態において、送信ユニット４０１はトランスミッタにより実現されてもよく、及び受信ユニット４０２はレシーバにより実現されてもよいことに留意すべきである。図５に示されるように、端末５００はプロセッサ５１０、トランシーバ５２０、及びメモリ５３０を含んでもよい。トランシーバ５２０はレシーバ５２１とトランスミッタ５２２とを含んでもよく、メモリ５３０はプロセッサ５１０により実行されるコード等を保存するように構成されてもよい。端末５００におけるコンポーネントはバス・システム５４０を使用することにより共に結合される。データ・バスに加えて、バス・システム５４０は、電力バス、制御バス、ステータス信号バス等を更に含む。
【００７４】  レシーバ５２１は、グラント・フリー伝送に使用されるＰ個の専用伝送リソースに関するものであり及びネットワーク・デバイスにより送信される情報を受信するように構成され、Ｐは正の整数であり及びＰ≧２である。
【００７５】  プロセッサ５１０は、Ｐ個の専用伝送リソースに対応するＰ個の伝送パラメータ・セットの中で最も合致する伝送パラメータ・セットに対応する専用伝送リソースを、チャネル状態及びＱｏＳ要求に基づいて、適応伝送リソースとして選択するように構成される。
【００７６】  トランスミッタ５２２は、適応伝送リソースと伝送パラメータ・セットとに基づいて、パイロットとデータとをネットワーク・デバイスへ送信するように構成される。
【００７７】  オプションで、伝送リソースは専用伝送リソースと共通伝送リソースとを含む。
【００７８】  オプションで、専用伝送リソースに関する情報は、パイロット、コードブック、シグネチャ・シーケンス、及び／又は時間−周波数リソース・ロケーションを含むが、これらに限定されない。
【００７９】  オプションで、伝送パラメータ・セットは、ＭＣＳ、電力制御パラメータ、ＲＶバージョン、及び／又は専用伝送リソースのトランスポート・ブロック・サイズを含むが、これらに限定されない。
【００８０】  オプションで、専用伝送リソースは、伝送パラメータ・セットと１対１対応にある。
【００８１】  オプションで、レシーバ５２１は、共通伝送リソース情報を受信するように更に構成される。
【００８２】  図６は本発明の実施形態によるシステム・チップ６００の概略的な構造図である。図６において、システム・チップ６００は、入力インターフェース６０１、出力インターフェース６０２、少なくとも１つのプロセッサ６０３、及びメモリ６０４を含む。入力インターフェース６０１、出力インターフェース６０２、プロセッサ６０３、及びメモリ６０４はバス６０９を使用することにより接続される。プロセッサ６０３はメモリ６０４内のコードを実行するように構成される。コードが実行される場合に、プロセッサ６０３は上記の実施形態における端末により実行される方法を実現する。
【００８３】  図４に示される端末４００、図５に示される端末デバイス５００、又は図６に示されるシステム・チップ６００は、上記の実施形態における端末により実現される様々なプロセッサを実現することが可能である。繰り返しを避けるため、詳細はここで再び説明されない。
【００８４】  図７は本発明の実施形態によるネットワーク・デバイス７００を示す。図７に示されるように、ネットワーク・デバイス７００は：  グラント・フリー伝送に使用されるＰ個の専用伝送リソースに関する情報をユニキャスト方式で端末へ送信するように構成される送信ユニット７０１であって、Ｐは正の整数であり及びＰ≧２である、送信ユニット；  グラント・フリー伝送のデータとグラント・フリー伝送リソースにおけるデータのパイロットとを受信するように構成される受信ユニット７０２；及び  Ｍ個の専用伝送リソースからＰ個の専用伝送リソースを選択し、そしてＰ個の専用伝送リソースに関する情報を送信ユニット７０１へ送るように構成され；及び専用伝送リソースを検出し、そしてグラント・フリー伝送が検出された場合、専用伝送リソースに対応する伝送パラメータ・セットに基づいてデータを検出するように更に構成される処理ユニットを含む。
【００８５】  オプションで、専用伝送リソースに関する情報は、パイロット、コードブック、シグネチャ・シーケンス、及び／又は時間−周波数リソース・ロケーションを含むが、これらに限定されない。
【００８６】  オプションで、伝送パラメータ・セットは、ＭＣＳ、電力制御パラメータ、ＲＶバージョン、及び／又は専用伝送リソースのトランスポート・ブロック・サイズを含むが、これらに限定されない。
【００８７】  オプションで、専用伝送リソースは、伝送パラメータ・セットと１対１対応にある。
【００８８】  オプションで、送信ユニット７０１はブロードキャスト方式で共通伝送リソース情報を送信するように更に構成される。
【００８９】  本発明のこの実施形態において、送信ユニット７０１はトランスミッタにより実現されてもよく、及び受信ユニット７０２はレシーバにより実現されてもよいことに留意すべきである。図８に示されるように、ネットワーク・デバイス８００はプロセッサ８１０、トランシーバ８２０、及びメモリ８３０を含んでもよい。トランシーバ８２０はレシーバ８２１とトランスミッタ８２２とを含んでもよく、メモリ８３０はプロセッサ８１０により実行されるコード等を保存するように構成されてもよい。ネットワーク・デバイス８００におけるコンポーネントはバス・システム８４０を使用することにより共に結合される。データ・バスに加えて、バス・システム８４０は、電力バス、制御バス、ステータス信号バス等を更に含む。
【００９０】  トランスミッタ８２２は、グラント・フリー伝送に使用されるＰ個の専用伝送リソースに関する情報をユニキャスト方式で端末へ送信するように構成され、Ｐは正の整数であり及びＰ≧２である。
【００９１】  レシーバ８２１は、グラント・フリー伝送のデータとグラント・フリー伝送リソースにおけるデータのパイロットとを受信するように構成される。
【００９２】  プロセッサ８１０は、Ｍ個の専用伝送リソースからＰ個の専用伝送リソースを選択し、そしてＰ個の伝送リソースに関する情報をトランスミッタ８２２へ送るように構成され；及び専用伝送リソースを検出し、そしてグラント・フリー伝送が検出された場合、専用伝送リソースに対応する伝送パラメータ・セットに基づいてデータを検出するように更に構成される。
【００９３】  オプションで、伝送リソースは専用伝送リソースと共通伝送リソースとを含む。
【００９４】  オプションで、専用伝送リソースに関する情報は、パイロット、コードブック、シグネチャ・シーケンス、及び／又は時間−周波数リソース・ロケーションを含むが、これらに限定されない。
【００９５】  オプションで、伝送パラメータ・セットは、ＭＣＳ、電力制御パラメータ、ＲＶバージョン、及び／又は専用伝送リソースのトランスポート・ブロック・サイズを含むが、これらに限定されない。
【００９６】  オプションで、専用伝送リソースは、伝送パラメータ・セットと１対１対応にある。
【００９７】  オプションで、送信ユニット７０１はブロードキャスト方式で共通伝送リソース情報を送信するように更に構成される。
【００９８】  図９は本発明の実施形態によるシステム・チップ９００の概略的な構造図である。図９において、システム・チップ９００は、入力インターフェース９０１、出力インターフェース９０２、少なくとも１つのプロセッサ９０３、及びメモリ９０４を含む。入力インターフェース９０１、出力インターフェース９０２、プロセッサ９０３、及びメモリ９０４はバス９０５を使用することにより接続される。プロセッサ９０３はメモリ９０４内のコードを実行するように構成される。コードが実行される場合に、プロセッサ９０３は上記の実施形態におけるネットワーク・デバイスにより実行される方法を実現する。
【００９９】  図７に示されるネットワーク・デバイス７００、図８に示されるネットワーク・デバイス８００、又は図９に示されるシステム・チップ９００は、上記の実施形態におけるネットワーク・デバイスにより実現される様々なプロセッサを実現することが可能である。繰り返しを避けるため、詳細はここで再び説明されない。
【０１００】  本発明の更なる実施形態は以下に提供される。以下のセクションで使用される番号付けは上記のセクションで使用される番号付けに必ずしも従う必要はないことに留意すべきである。  １．グラント・フリー伝送方法であって、前記方法は：  グラント・フリー伝送に使用されるＰ個の専用伝送リソースに関するものであり及びネットワーク・デバイスにより送信される情報を、端末により受信するステップであって、Ｐは正の整数であり及びＰ≧２である、ステップ；  前記Ｐ個の専用伝送リソースから１つの適応伝送リソースを前記端末により選択するステップ；及び  前記適応伝送リソースと前記適応伝送リソースに対応する伝送パラメータ・セットとを使用することによりグラント・フリー伝送を、前記端末により実行するステップ；  を含む方法。  ２．前記専用伝送リソースは、以下のもの：パイロット、コードブック、シグネチャ・シーケンス、及び時間−周波数リソースのうちの少なくとも１つを含む、実施形態１に記載の方法。  ３．前記伝送パラメータ・セットは、以下のパラメータ：変調及び符号化方式、電力制御パラメータ、冗長バージョン、及びトランスポート・ブロック・サイズのうちの少なくとも１つを含む、実施形態１又は２に記載の方法。  ４．前記専用伝送リソースは、前記伝送パラメータ・セットと１対１対応にある、実施形態１−３のうち何れか一項に記載の方法。  ５．前記Ｐ個の専用伝送リソースから１つの適応伝送リソースを前記端末により選択する前記ステップは、具体的には：  前記Ｐ個の専用伝送リソースに対応するＰ個の伝送パラメータ・セットの中で最も合致する伝送パラメータ・セットに対応する前記専用伝送リソースを、チャネル状態及びＱｏＳ要求に基づいて、前記適応伝送リソースとして選択するステップである、実施形態１−４のうち何れか一項に記載の方法。  ６．前記端末は、前記ネットワーク・デバイスにより送信される共通伝送リソース情報を更に受信する、実施形態１−５のうち何れか一項に記載の方法。  ７．グラント・フリー伝送方法であって、前記方法は：  グラント・フリー伝送に使用されるＰ個の専用伝送リソースに関する情報を、ネットワーク・デバイスにより端末へ送信するステップであって、Ｐは正の整数であり及びＰ≧２である、ステップ；及び  前記専用伝送リソースを前記ネットワーク・デバイスにより検出し、そしてグラント・フリー伝送が検出された場合、前記専用伝送リソースに対応する伝送パラメータ・セットに基づいてデータを検出するステップ；  を含む方法。  ８．前記専用伝送リソースは、以下のもの：パイロット、コードブック、シグネチャ・シーケンス、及び時間−周波数リソースのうちの少なくとも１つを含む、実施形態７に記載の方法。  ９．前記伝送パラメータ・セットは、以下のパラメータ：変調及び符号化方式、電力制御パラメータ、冗長バージョン、及びトランスポート・ブロック・サイズのうちの少なくとも１つを含む、実施形態７又は８に記載の方法。  １０．前記専用伝送リソースは、前記伝送パラメータ・セットと１対１対応にある、実施形態７−９のうち何れか一項に記載の方法。  １１．前記Ｐ個の専用伝送リソースはＭ個の専用伝送リソースから選択され、Ｍは正の整数で��り及びＭ≧Ｐである、実施形態７−１０のうちの何れか一項に記載の方法。  １２．前記ネットワーク・デバイスは共通伝送リソース情報を更に送信する、実施形態７−１１のうちの何れか一項に記載の方法。  １３．端末であって：  グラント・フリー伝送に使用されるＰ個の専用伝送リソースに関するものであり及びネットワーク・デバイスにより送信される情報を受信するように構成されるレシーバであって、Ｐは正の整数であり及びＰ≧２である、レシーバ；  適応伝送リソースと前記適応伝送リソースに対応する伝送パラメータ・セットとを決定するように構成されるプロセッサ；及び  前記適応伝送リソースと前記伝送パラメータ・セットとに基づいて、パイロットとデータとを前記ネットワーク・デバイスへ送信するように構成されるトランスミッタ；  を含む端末。  １４．前記専用伝送リソースは、以下のもの：パイロット、コードブック、シグネチャ・シーケンス、及び時間−周波数リソースのうちの少なくとも１つを含む、実施形態１３に記載の端末。  １５．前記伝送パラメータ・セットは、以下のパラメータ：変調及び符号化方式、電力制御パラメータ、冗長バージョン、及びトランスポート・ブロック・サイズのうちの少なくとも１つを含む、実施形態１３又は１４に記載の端末。  １６．前記専用伝送リソースは、前記伝送パラメータ・セットと１対１対応にある、実施形態１３−１５のうち何れか一項に記載の端末。  １７．前記プロセッサは、前記Ｐ個の専用伝送リソースに対応するＰ個の伝送パラメータ・セットの中で最も合致する伝送パラメータ・セットに対応する専用伝送リソースを、チャネル状態及びＱｏＳ要求に基づいて、前記適応伝送リソースとして選択するように具体的に構成される、実施形態１３−１６のうち何れか一項に記載の端末。  １８．前記レシーバは、前記ネットワーク・デバイスにより送信される共通伝送リソース情報を受信するように更に構成される、実施形態１３−１７のうち何れか一項に記載の端末。  １９．実行可能なコードを保存するように構成されるメモリを更に含む、実施形態１３−１８のうち何れか一項に記載の端末。  ２０．グラント・フリー伝送に使用されるＰ個の専用伝送リソースに関する情報を端末へ送信するように構成されるトランスミッタであって、Ｐは正の整数であり及びＰ≧２である、トランスミッタ；及び  前記専用伝送リソースを検出し、そしてグラント・フリー伝送が検出された場合、前記専用伝送リソースに対応する伝送パラメータ・セットに基づいてデータを検出するように構成されるプロセッサ；  を含むネットワーク・デバイス。  ２１．前記専用伝送リソースは、以下のもの：パイロット、コードブック、シグネチャ・シーケンス、及び時間−周波数リソースのうちの少なくとも１つを含む、実施形態２０に記載のネットワーク・デバイス。  ２２．前記伝送パラメータ・セットは、以下のパラメータ：変調及び符号化方式、電力制御パラメータ、冗長バージョン、及びトランスポート・ブロック・サイズのうちの少なくとも１つを含む、実施形態２０又は２１に記載のネットワーク・デバイス。  ２３．前記専用伝送リソースは、前記伝送パラメータ・セットと１対１対応にある、実施形態２０−２２のうち何れか一項に��載のネットワーク・デバイス。  ２４．前記プロセッサは、Ｍ個の専用伝送リソースから前記Ｐ個の専用伝送リソースを選択するように更に構成され、Ｍは正の整数であり及びＭ≧Ｐである、実施形態２０−２３のうちの何れか一項に記載のネットワーク・デバイス。  ２５．前記トランスミッタは、共通伝送リソース情報を送信するように更に構成される、実施形態２０−２４のうちの何れか一項に記載のネットワーク・デバイス。  ２６．実行可能なコードを保存するように構成されるメモリを更に含む、実施形態２０−２５のうち何れか一項に記載のネットワーク・デバイス。  ２７．端末であって：  グラント・フリー伝送に使用されるＰ個の専用伝送リソースに関するものであり及びネットワーク・デバイスにより送信される情報を受信するように構成される受信ユニットであって、Ｐは正の整数であり及びＰ≧２である、受信ユニット；  適応伝送リソースと前記適応伝送リソースに対応する伝送パラメータ・セットとを決定するように構成される処理ユニット；及び  前記適応伝送リソースと前記伝送パラメータ・セットとに基づいて、パイロットとデータとを前記ネットワーク・デバイスへ送信するように構成される送信ユニット；  を含む端末。  ２８．前記専用伝送リソースは、以下のもの：パイロット、コードブック、シグネチャ・シーケンス、及び時間−周波数リソースのうちの少なくとも１つを含む、実施形態２７に記載の端末。  ２９．前記伝送パラメータ・セットは、以下のパラメータ：変調及び符号化方式、電力制御パラメータ、冗長バージョン、及びトランスポート・ブロック・サイズのうちの少なくとも１つを含む、実施形態２７又は２８に記載の端末。  ３０．前記専用伝送リソースは、前記伝送パラメータ・セットと１対１対応にある、実施形態２７−２９のうち何れか一項に記載の端末。  ３１．前記処理ユニットは、前記Ｐ個の専用伝送リソースに対応するＰ個の伝送パラメータ・セットの中で最も合致する伝送パラメータ・セットに対応する専用伝送リソースを、チャネル状態及びＱｏＳ要求に基づいて、前記適応伝送リソースとして選択するように具体的に構成される、実施形態２７−３０のうち何れか一項に記載の端末。  ３２．前記受信ユニットは、前記ネットワーク・デバイスにより送信される共通伝送リソース情報を受信するように更に構成される、実施形態２７−３１のうち何れか一項に記載の端末。  ３３．ネットワーク・デバイスであって：  グラント・フリー伝送に使用されるＰ個の専用伝送リソースに関する情報を端末へ送信するように構成される送信ユニットであって、Ｐは正の整数であり及びＰ≧２である、送信ユニット；  グラント・フリー伝送のデータとグラント・フリー伝送リソースにおける前記データのパイロットとを受信するように構成される受信ユニット；及び  前記専用伝送リソースを検出し、そしてグラント・フリー伝送が検出された場合、前記専用伝送リソースに対応する伝送パラメータ・セットに基づいて前記データを検出するように構成される処理ユニット；  を含むネットワーク・デバイス。  ３４．前記専用伝送リソースは、以下のもの：パイロット、コードブック、シグネチャ・シーケンス、及び時間−周波数リソースのうちの少なくとも１つを含む、実施形態３３に記載のネットワーク・デバイス。  ３５．前記伝送パラメータ・セットは、以下のパラメータ：変調及び符号化方式、電力制御パラメータ、冗長バージョン、及びトランスポート・ブロック・サイズのうちの少なくとも１つを含む、実施形態３３又は３４に記載のネットワーク・デバイス。  ３６．前記専用伝送リソースは、前記伝送パラメータ・セットと１対１対応にある、実施形態３３−３５のうち何れか一項に記載のネットワーク・デバイス。  ３７．前記処理ユニットは、Ｍ個の専用伝送リソースから前記Ｐ個の専用伝送リソースを選択するように更に構成され、Ｍは正の整数であり及びＭ≧Ｐである、実施形態３３−３６のうちの何れか一項に記載のネットワーク・デバイス。  ３８．前記送信ユニットは、共通伝送リソース情報を送信するように更に構成される、実施形態３３−３７のうちの何れか一項に記載のネットワーク・デバイス。  ３９．読み取り可能ストレージ媒体とコンピュータ・プログラムとを含むストレージ媒体であって、前記コンピュータ・プログラムは、実施形態１−６のうち何れか一項に記載の前記端末デバイスにより実行される前記グラント・フリー伝送方法を実現するために使用される、ストレージ媒体。  ４０．読み取り可能ストレージ媒体とコンピュータ・プログラムとを含むストレージ媒体であって、前記コンピュータ・プログラムは、実施形態７−１２のうち何れか一項に記載の前記ネットワーク・デバイスにより実行される前記グラント・フリー伝送方法を実現するために使用される、ストレージ媒体。
【０１０１】  本明細書における用語「及び／又は」は、関連するオブジェクトを説明するための関連関係のみを記述し、及び３つの関係が存在し得ることを表現することが理解されるべきである。例えば、Ａ及び／又はＢは、以下の３つのケース：Ａのみが存在すること、Ａ及びＢ双方が存在すること、そしてＢのみが存在することを表現し得る。更に、本明細書における記号「／」は、一般に、関連するオブジェクト間における「又は」の関係を示す。
【０１０２】  上記のプロセスのシーケンス番号は本発明の実施形態における実行シーケンスを意味しないことが理解されるべきである。プロセスの実行シーケンスは、プロセスの機能及び内的なロジックに基づいて決定されるべきであり、及び本発明の実施形態の実現プロセスに関する如何なる限定としても解釈されるべきでない。
【０１０３】  当業者は、本明細書で開示される実施形態に関連して説明される具体例におけるユニット及びアルゴリズム・ステップは、電子ハードウェア、又はコンピュータ・ソフトウェアと電子ハードウェアとの組み合わせにより実現され得ることに気付き得る。機能がハードウェア又はソフトウェアにより実現されるか否かは特定のアプリケーション及び技術的ソリューションの設計制約条件に依存する。当業者は各々の特定のアプリケーションに対して説明済みの機能を実装するために様々な方法を使用してよいが、実装が本発明の範囲を超えるように考えられるべきではない。
【０１０４】  便宜及び説明の簡潔さの目的により、上記のシステム、装置、及びユニットの詳細な作業プロセスについては、上記の方法の実施形態における対応するプロセスを参照することは、当業者により明確に理解され得る。詳細はここで再び説明されない。
【０１０５】  本願で提供される幾つかの実施形態では、開示されるシステム、装置、及び方法は他の方式で実現されてもよいことが理解されるべきである。例えば、説明される装置の実施形態は単なる具体例である。例えば、ユニットの区分は単なる論理的機能的な区分であり、そして実際の実装では他の区分であってもよい。例えば、複数のユニット又はコンポーネントは結合され又は他のシステムに統合されてもよく、又は幾つかの特徴は無視され又は実行されなくてもよい。更に、示され又は議論される相互カップリング又は直接的なカップリング又は通信コネクションは幾つかのインターフェースを介して実現されてもよい。装置又はユニット間の間接的なカップリング又は通信コネクションは、電子的、機械的又はその他の形式で実現されてもよい。
【０１０６】  別個のパーツとして説明されるユニットは物理的に別々であってもよいし又はそうでなくてもよく、及びユニットとして示されるパーツは物理的なユニットであってもよいし又はそうでなくてもよく、一箇所に配置されてもよいし、又は複数のネットワーク・ユニットに分散されてもよい。ユニットの全部又は一部は、実施形態のソリューションの課題を達成するように実際の要求に基づいて選択されてよい。
【０１０７】  更に、本発明の実施形態における機能ユニットは、１つの処理ユニットに統合されてもよいし、又はユニットの各々が物理的に単独で存在してもよいし、又は２つ以上のユニットが１つのユニットに統合される。
【０１０８】  機能はソフトウェア機能ユニットの形式で実現され、そして独立した製品として販売又は使用される場合、機能はコンピュータ読み取り可能なストレージ媒体に保存されてもよい。そのような理解に基づいて、本発明の技術的ソリューションは本質的に、又は従来技術に対して貢献する部分は、又は技術的ソリューションの一部は、ソフトウェア製品の形式で実現されてもよい。コンピュータ・ソフトウェア製品は、ストレージ媒体に保存され、及び本発明の実施形態で説明される方法のステップの全部又は一部を実行するようにコンピュータ・デバイス（パーソナル・コンピュータ、サーバー、ネットワーク・デバイス等であってもよい）を命令する幾つかの命令を含む。上記のストレージ媒体は：ＵＳＢフラッシュ・ドライブ、リムーバブル・ハード・ディスク、リード・オンリ・メモリＲＯＭ、ランダム・アクセス・メモリＲＡＭ、磁気ディスク、又は光ディスク等の、プログラム・コードを保存することが可能な任意の媒体を含む。
【０１０９】  上記の説明は本発明の単なる特定の実装に過ぎず、本発明の保護範囲を限定するようには意図されていない。本発明で開示される技術的範囲内で当業者により容易に理解される任意の変形又は置換は、本発明の保護範囲内に属することになる。従って、本発明の保護範囲は特許請求の範囲の保護範囲に左右されることになる。
【国際調査報告】
2020502885.tif 000012
2020502885.tif 000013
2020502885.tif 000014
2020502885.tif 000015
2020502885.tif 000016
2020502885.tif 000017